(57)【要約】  本開示の特定の態様は、ロングタームエボリューション（ＬＴＥ）における新しいキャリアタイプ（ＮＣＴ）でのコンパクトなダウンリンク制御情報（ＤＣＩ）フォーマットを用いた、物理ダウンリンク共有チャネル（ＰＤＳＣＨ）送信方式に関する。
2016521069.tif 000002
【特許請求の範囲】
【請求項１】
基地局によるワイヤレス通信のための方法であって、
第１のダウンリンク制御情報（ＤＣＩ）フォーマットに従って、少なくとも１つのユーザ機器（ＵＥ）に物理ダウンリンク共有チャネル（ＰＤＳＣＨ）をスケジューリングするためにＤＣＩを生成することと、ここで、前記第１のＤＣＩフォーマットは、１つのＰＤＳＣＨコードワードをスケジューリングする、
前記スケジューリングされたＰＤＳＣＨが基づいているビームフォーミングのタイプについて１つまたは複数のパラメータの指示を提供することと、
ダウンリンク制御チャネルにおいて前記ＵＥに前記ＤＣＩを送信することと
を備える、方法。
【請求項２】
前記ＰＤＳＣＨは、従来のキャリアタイプ（ＬＣＴ）とは異なる新しいキャリアタイプ（ＮＣＴ）上での送信のためにスケジューリングされ、前記ＵＥは、前記ＮＣＴ上で通信することができるＵＥタイプであり、一方、他のＵＥタイプは、前記ＮＣＴ上で通信することができない、請求項１に記載の方法。
【請求項３】
前記ダウンリンク制御チャネルは、強化された物理ダウンリンク制御チャネル（ＥＰＤＣＣＨ）を備える、請求項１に記載の方法。
【請求項４】
前記指示は、前記ＰＤＳＣＨが開ループビームフォーミング（ＯＬＢＦ）に基づいているか、または閉ループビームフォーミング（ＣＬＢＦ）に基づいているかの指示を備える、請求項１に記載の方法。
【請求項５】
前記指示は、いくつのまたはどのアンテナポートが前記ビームフォーミングのために使用されるかの、少なくとも１つの指示を備える、請求項１に記載の方法。
【請求項６】
前記ＰＤＳＣＨは、開ループビームフォーミング（ＯＬＢＦ）に基づいており、
前記ＯＬＢＦのためのビームサイクリングのリソース粒度は、前記ＰＤＳＣＨに割り当てられたリソースに、少なくとも部分的に、基づいている、
請求項１に記載の方法。
【請求項７】
前記ＰＤＳＣＨは、開ループビームフォーミング（ＯＬＢＦ）に基づいており、
前記ＯＬＢＦのためのビームサイクリングのリソース粒度は、前記ＤＣＩが送信される制御チャネルのサーチ空間のタイプに、少なくとも部分的に、基づいている、
請求項１に記載の方法。
【請求項８】
前記ＰＤＳＣＨは、開ループビームフォーミング（ＯＬＢＦ）に基づいており、
前記ＯＬＢＦのためのビームサイクリングのリソース粒度は、特定の状況下で、物理リソースブロック（ＰＲＢ）のペアより小さい、請求項１に記載の方法。
【請求項９】
少なくとも１つのビームフォーミングパラメータの指示は、準静的にまたは動的にシグナリングされる、請求項１に記載の方法。
【請求項１０】
前記スケジューリングされたＰＤＳＣＨは、マルチユーザ多入力多出力（ＭＵ−ＭＩＭＯ）ＰＤＳＣＨを備える、請求項１に記載の方法。
【請求項１１】
前記指示は、前記ＤＣＩが送信される前記ダウンリンク制御チャネルの送信モードまたは送信ポートのうちの少なくとも１つを介して提供される、請求項１に記載の方法。
【請求項１２】
前記第１のＤＣＩフォーマットのサイズは、前記ダウンリンク制御チャネルが送信されるサーチ空間のタイプに、少なくとも部分的に、依存する、請求項１に記載の方法。
【請求項１３】
ユーザ機器（ＵＥ）によるワイヤレス通信のための方法であって、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、
前記ＰＤＳＣＨが基づいているビームフォーミングのタイプについて１つまたは複数のパラメータを決定することと、
前記ＤＣＩおよび前記１つまたは複数のビームフォーミングパラメータに基づいて前記ＰＤＳＣＨを処理することと
を備える、方法。
【請求項１４】
前記ＰＤＳＣＨは、従来のキャリアタイプ（ＬＣＴ）とは異なる新しいキャリアタイプ（ＮＣＴ）上での送信のためにスケジューリングされ、前記ＵＥは、前記ＮＣＴ上で通信することができるＵＥタイプであり、一方、他のＵＥタイプは、前記ＮＣＴ上で通信することができない、請求項１３に記載の方法。
【請求項１５】
前記ダウンリンク制御チャネルは、強化された物理ダウンリンク制御チャネル（ＥＰＤＣＣＨ）を備える、請求項１３に記載の方法。
【請求項１６】
前記決定は、前記第１のＤＣＩフォーマット内の１つまたは複数のフィールドに基づいている、請求項１３に記載の方法。
【請求項１７】
前記決定は、前記ＰＤＳＣＨが開ループビームフォーミング（ＯＬＢＦ）に基づいているか、または閉ループビームフォーミング（ＣＬＢＦ）が使用されるかの指示に基づいている、請求項１３に記載の方法。
【請求項１８】
前記決定は、いくつのまたはどのアンテナポートが前記ビームフォーミングのために使用されるかの、少なくとも１つの指示に基づいている、請求項１３に記載の方法。
【請求項１９】
前記ＰＤＳＣＨは、開ループビームフォーミング（ＯＬＢＦ）に基づいており、
前記ＯＬＢＦのためのビームサイクリングのリソース粒度は、前記ＰＤＳＣＨに割り当てられたリソースに、少なくとも部分的に、基づいている
請求項１３に記載の方法。
【請求項２０】
前記ＯＬＢＦのための前記ビームサイクリングのリソース粒度は、前記ＰＤＳＣＨに割り当てられたリソースのサイズ、前記ＰＤＳＣＨに割り当てられたリソースがローカライズされるかまたは分散されるか、あるいは前記ＰＤＳＣＨがブロードキャストされるかまたはユニキャストされるか、のうちの少なくとも１つに基づいている、請求項１９に記載の方法。
【請求項２１】
物理リソースブロック（ＰＲＢ）またはそれより小さいもののリソース粒度は、前記ＰＤＳＣＨに割り当てられたリソースの前記サイズが、第１のサイズ以下である場合に使用され、
少なくとも１つの物理リソースブロックグループ（ＰＲＧ）のリソース粒度は、前記ＰＤＳＣＨに割り当てられたリソースの前記サイズが、前記第１のサイズより大きい場合に使用される、
請求項２０に記載の方法。
【請求項２２】
前記ＰＤＳＣＨは、開ループビームフォーミング（ＯＬＢＦ）に基づいており、
前記ＯＬＢＦのためのビームサイクリングのリソース粒度は、前記ＤＣＩが送信される制御チャネルのサーチ空間のタイプに、少なくとも部分的に、基づいている
請求項１３に記載の方法。
【請求項２３】
前記ＰＤＳＣＨは、開ループビームフォーミング（ＯＬＢＦ）に基づいており、
前記ＯＬＢＦのためのビームサイクリングのリソース粒度は、特定の状況下で、物理リソースブロック（ＰＲＢ）のペアより小さい、請求項１３に記載の方法。
【請求項２４】
前記決定は、準静的にまたは動的にシグナリングされる少なくとも１つのビームフォーミングパラメータの指示に基づいている、請求項１３に記載の方法。
【請求項２５】
前記スケジューリングされたＰＤＳＣＨは、マルチユーザ多入力多出力（ＭＵ−ＭＩＭＯ）ＰＤＳＣＨを備える、請求項１３に記載の方法。
【請求項２６】
前記決定は、前記ＤＣＩが送信される前記ダウンリンク制御チャネルの送信モードまたは送信ポートのうちの少なくとも１つに基づいている、請求項１３に記載の方法。
【請求項２７】
前記決定は、ＰＤＳＣＨポートへの前記ダウンリンク制御チャネルポートのマッピングに基づいている、請求項２６に記載の方法。
【請求項２８】
前記第１のＤＣＩフォーマットのサイズは、前記ダウンリンク制御チャネルが送信されるサーチ空間のタイプに、少なくとも部分的に、依存する、請求項１３に記載の方法。
【請求項２９】
ユーザ機器（ＵＥ）によるワイヤレス通信のための装置であって、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、
前記ＰＤＳＣＨが基づいているビームフォーミングのタイプについて１つまたは複数のパラメータを決定することと、
前記ＤＣＩおよび前記１つまたは複数のビームフォーミングパラメータに基づいて前記ＰＤＳＣＨを処理することと
を行うように構成される、少なくとも１つのプロセッサと、
前記少なくとも１つのプロセッサに結合されたメモリと
を備える、装置。
【請求項３０】
コンピュータ読取可能媒体を備える、ユーザ機器（ＵＥ）によるワイヤレス通信のためのプログラム製品であって、前記コンピュータ読取可能媒体は、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信し、
前記ＰＤＳＣＨが基づいているビームフォーミングのタイプについて１つまたは複数のパラメータを決定し、
前記ＤＣＩおよび前記１つまたは複数のビームフォーミングパラメータに基づいて前記ＰＤＳＣＨを処理する
ための記憶した命令を有する、プログラム製品。
【発明の詳細な説明】
【関連出願の相互参照】
【０００１】
[0001]  本特許出願は、２０１３年４月２３日に出願され、本願の譲受人に譲渡された、米国仮特許出願第６１／８１５，０８４号の優先権を主張し、その全体は参照により本明細書に明示的に組み込まれている。
【技術分野】
【０００２】
[0002]  本開示の態様は、一般に、ワイヤレス通信システムに関し、より具体的には、ダウンリンク制御情報（ＤＣＩ：downlink control information）フォーマットを有する物理ダウンリンク共有チャネル（ＰＤＳＣＨ：physical downlink shared channel）送信をスケジューリングすることに関する。
【背景技術】
【０００３】
[0003]  ワイヤレス通信ネットワークは、音声、ビデオ、パケットデータ、メッセージング、ブロードキャストなどのような、様々な通信サービスを提供するために広く展開されている。これらのワイヤレスネットワークは、利用可能なネットワークリソースを共有することによって複数のユーザをサポートすることができる多元接続ネットワークであり得る。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]  ワイヤレス通信ネットワークは、多数のユーザ機器（ＵＥ：user equipment）のための通信をサポートすることができる多数の基地局を含み得る。ＵＥは、ダウンリンクおよびアップリンクを介して、基地局と通信し得る。ダウンリンク（または順方向リンク）は基地局からＵＥへの通信リンクを指し、アップリンク（または逆方向リンク）はＵＥから基地局への通信リンクを指す。
【発明の概要】
【０００５】
[0005]  本開示の特定の態様は、基地局によるワイヤレス通信のための方法を提供する。前記方法は、一般に、第１のダウンリンク制御情報（ＤＣＩ）フォーマットに従って、少なくとも１つのユーザ機器（ＵＥ）に物理ダウンリンク共有チャネル（ＰＤＳＣＨ）をスケジューリングするためにＤＣＩを生成することと、スケジューリングされたＰＤＳＣＨが基づいているビームフォーミングのタイプについて１つまたは複数のパラメータの指示を提供することと、物理ダウンリンク制御チャネル（ＰＤＣＣＨ）においてＵＥにＤＣＩを送信することと、を含む。
【０００６】
[0006]  本開示の特定の態様は、ユーザ機器（ＵＥ）によるワイヤレス通信のための方法を提供する。前記方法は、一般に、物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、ＰＤＳＣＨが基づいているビームフォーミングのタイプについて１つまたは複数のパラメータを決定することと、ＤＣＩおよび１つまたは複数のビームフォーミングパラメータに基づいてＰＤＳＣＨを処理することと、を含む。
【０００７】
[0007]  本開示の特定の態様は、基地局によるワイヤレス通信のための装置を提供する。装置は、一般に、第１のダウンリンク制御情報（ＤＣＩ）フォーマットに従って、少なくとも１つのユーザ機器（ＵＥ）に物理ダウンリンク共有チャネル（ＰＤＳＣＨ）をスケジューリングするためにＤＣＩを生成するための手段と、スケジューリングされたＰＤＳＣＨが基づいているビームフォーミングのタイプについて１つまたは複数のパラメータの指示を提供するための手段と、ダウンリンク制御チャネルにおいてＵＥにＤＣＩを送信するための手段と、を含む。
【０００８】
[0008]  本開示の特定の態様は、ユーザ機器（ＵＥ）によるワイヤレス通信のための装置を提供する。前記装置は一般に、物理ダウンリンク共有チャネル（ＰＤＳＣＨ）をスケジューリングするために第１のダウンリンク制御情報（ＤＣＩ）フォーマットのＤＣＩでダウンリンク制御チャネルを受信するための手段と、ＰＤＳＣＨが基づいているビームフォーミングのタイプについて１つまたは複数のパラメータを決定するための手段と、ＤＣＩおよび１つまたは複数のビームフォーミングパラメータに基づいてＰＤＳＣＨを処理するための手段と、を含む。
【０００９】
[0009]  本開示の特定の態様は、基地局によるワイヤレス通信のための装置を提供する。前記装置は、一般に、第１のダウンリンク制御情報（ＤＣＩ）フォーマットに従って、少なくとも１つのユーザ機器（ＵＥ）に物理ダウンリンク共有チャネル（ＰＤＳＣＨ）をスケジューリングするためにＤＣＩを生成することと、スケジューリングされたＰＤＳＣＨが基づいているビームフォーミングのタイプについて１つまたは複数のパラメータの指示を提供することと、ダウンリンク制御チャネルにおいてＵＥにＤＣＩを送信することと、を行うように構成されたプロセッサと、少なくとも１つのプロセッサに結合されたメモリと、を含む。
【００１０】
[0010]  本開示の特定の態様は、ユーザ機器（ＵＥ）によるワイヤレス通信のための装置を提供する。前記装置は一般に、物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、ＰＤＳＣＨが基づいているビームフォーミングのタイプについて１つまたは複数のパラメータを決定することと、ＤＣＩおよび１つまたは複数のビームフォーミングパラメータに基づいてＰＤＳＣＨを処理することと、を行うように構成される少なくとも１つのプロセッサと、少なくとも１つのプロセッサに結合されたメモリと、を含む。
【００１１】
[0011]  本開示の特定の態様は、命令を記憶したコンピュータ読取可能媒体を備える、基地局によるワイヤレス通信のためのプログラム製品を提供する。前記命令は一般に、第１のダウンリンク制御情報（ＤＣＩ）フォーマットに従って、少なくとも１つのユーザ機器（ＵＥ）に物理ダウンリンク共有チャネル（ＰＤＳＣＨ）をスケジューリングするためにＤＣＩを生成し、スケジューリングされたＰＤＳＣＨが基づいているビームフォーミングのタイプについて１つまたは複数のパラメータの指示を提供し、ダウンリンク制御チャネルにおいてＵＥにＤＣＩを送信するためのものである。
【００１２】
[0012]  本開示の特定の態様は、命令を記憶したコンピュータ読取可能媒体を備える、ユーザ機器（ＵＥ）によるワイヤレス通信のためのプログラム製品を提供する。前記命令は一般に、物理ダウンリンク共有チャネル（ＰＤＳＣＨ）をスケジューリングするために第１のダウンリンク制御情報（ＤＣＩ）フォーマットのＤＣＩでダウンリンク制御チャネルを受信し、ＰＤＳＣＨが基づいてビームフォーミングのタイプについて１つまたは複数のパラメータを決定し、ＤＣＩおよび１つまたは複数のビームフォーミングパラメータに基づいているＰＤＳＣＨを処理するためのものである。
【図面の簡単な説明】
【００１３】
【図１】[0013]  図１は、電気通信システムの例を概念的に図示するブロック図である。
【００１４】
【図２】[0014]  図２は、電気通信システムにおけるダウンリンクフレーム構造の例を概念的に図示するブロック図である。
【００１５】
【図３】[0015]  図３は、本開示の特定の態様に従った、基地局／ｅノードＢおよびＵＥの設計を概念的に図示するブロック図である。
【００１６】
【図４】[0016]  図４は、本開示の特定の態様に従った、連続的なキャリアアグリゲーションを図示する。
【００１７】
【図５】[0017]  図５は、本開示の特定の態様に従った、不連続的なキャリアアグリゲーションを図示する。
【００１８】
【図６】[0018]  図６は、本開示の特定の態様に従った、動作の例を図示する。
【００１９】
【図７】[0019]  図７は、本開示の特定の態様に従った、ＤＣＩフォーマットの例を図示する。
【００２０】
【図８】[0020]  図８は、本開示の特定の態様に従った、ＰＤＳＣＨ送信パラメータへのＥＰＤＣＣＨ送信パラメータの例示的なマッピングを図示する。
【００２１】
【図９】[0021]  図９は、本開示の特定の態様に従った、基地局（ＢＳ）において実行され得る動作の例を図示する。
【００２２】
【図１０】[0022]  図１０は、本開示の特定の態様に従った、ユーザ機器（ＵＥ）において実行され得る動作の例を図示する。
【発明を実施するための形態】
【００２３】
[0023]  添付の図面に関連して下記に示される詳細な説明は、様々な構成の説明が意図されたものであり、本明細書で説明される概念が実現され得る唯一の構成を表すことが意図されたものではない。詳細な説明は、様々な概念の完全な理解を提供する目的のために特定の詳細を含む。しかしながら、これらの概念が、これらの特定の詳細なしで実現され得ることは、当業者に対して明らかであるだろう。いくつかの例では、そのような概念をあいまいにすることを避けるために、周知の構造およびコンポーネントが、ブロック図の形式で示される。
【００２４】
[0024]  本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワークなどのような様々なワイヤレス通信ネットワークのために使用されることができる。「ネットワーク」および「システム」という用語は、しばしば置換可能なように使用される。ＣＤＭＡネットワークは、ユニバーサル地上無線アクセス（ＵＴＲＡ）、ｃｄｍａ２０００などのような無線技術を実装し得る。ＵＴＲＡは、広帯域ＣＤＭＡ（Ｗ−ＣＤＭＡ（登録商標））およびＣＤＭＡの他のバリエーションを含む。ｃｄｍａ２０００は、ＩＳ−２０００、ＩＳ−９５およびＩＳ−８５６規格をカバーする。ＴＤＭＡネットワークは、モバイル通信のためのグローバルシステム（ＧＳＭ（登録商標））のような無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２. １１（Ｗｉ−Ｆｉ）、ＩＥＥＥ ８０２. １６（ＷｉＭＡＸ）、ＩＥＥＥ ８０２. ２０、フラッシュ−ＯＦＤＭＡなどのような無線技術を実装し得る。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称される団体からの文書内で説明されている。ｃｄｍａ２０００およびＵＭＢは、「第３世代パートナーシッププロジェクト２」（３ＧＰＰ２）と称される団体からの文書内で説明されている。本明細書で説明される技法は、上述されるワイヤレスネットワークおよび無線技術、並びに、他のワイヤレスネットワークおよび無線技術に対して使用され得る。明確化のために、技法の特定の態様は、ＬＴＥに関して下記に説明され、また下記の説明の大部分では、ＬＴＥ用語が使用される。
【００２５】
[0025]  図１は、ＬＴＥネットワークであり得る、ワイヤレス通信ネットワーク１００を示す。ワイヤレスネットワーク１００は、多数の発展型ノードＢ（ｅノードＢ）１１０および他のネットワークエンティティを含み得る。ｅノードＢは、ＵＥと通信する局であり、基地局、ノードＢ、アクセスポイントなどとも呼ばれ得る。ノードＢは、ＵＥと通信する局の別の例である。
【００２６】
[0026]  各ｅノードＢ １１０は、特定の地理的エリアのための通信カバレッジを提供し得る。３ＧＰＰでは、「セル」という用語は、用語が使用される文脈に依存して、このカバレッジエリアにサービスする（serving）ｅノードＢおよび／またはｅノードＢサブシステムのカバレッジエリアを指し得る。
【００２７】
[0027]  ｅノードＢは、マクロセル、ピコセル、フェムトセル、および／または他のタイプのセルに対して通信カバレッジを提供し得る。マクロセルは、比較的大きな地理的エリア（例えば、半径数キロ）をカバーし、サービスに加入しているＵＥによる無制限アクセスを可能にし得る。ピコセルは、比較的小さい地理的エリアをカバーし、サービスに加入しているＵＥによる無制限のアクセスを可能にし得る。フェムトセルは、比較的狭い地理的エリア（例えば、住居）をカバーし、このフェムトセルとの関連を有するＵＥ（例えば、限定加入者グループ（ＣＳＧ：Closed Subscriber Group）内のＵＥ、住居内のユーザ向けのＵＥなど）による制限されたアクセスを可能にし得る。マクロセルのためのｅノードＢは、マクロｅノードＢと呼ばれ得る。ピコセルのためのｅノードＢは、ピコｅノードＢと呼ばれ得る。フェムトセルのためのｅノードＢは、フェムトｅノードＢまたはホームｅノードＢと呼ばれ得る。図１に示される例では、ｅノードＢ １１０ａ、１１０ｂ、および１１０ｃはそれぞれ、マクロセル１０２ａ、１０２ｂ、および１０２ｃのためのマクロｅノードＢであり得る。ｅノードＢ １１０ｘは、ピコセル１０２ｘのためのピコｅノードＢであり得る。ｅノードＢ １１０ｙおよび１１０ｚは、それぞれフェムトセル１０２ｙおよび１０２ｚのためのフェムトｅノードＢであり得る。ｅノードＢは、１つまたは複数の（例えば、３つの）セルをサポートし得る。
【００２８】
[0028]  ワイヤレスネットワーク１００は、また、中継局を含み得る。中継局は、アップストリーム局（例えば、ｅノードＢ、またはＵＥなど）から、データおよび／または他の情報の送信を受信し、ダウンストリーム局（例えば、ＵＥまたはｅノードＢ）に、データおよび／または他の情報の送信を送る局である。中継局は、また、他のＵＥのための送信を中継するＵＥであり得る。図１において示される例では、中継局１１０ｒは、ｅノードＢ １１０ａとＵＥ１２０ｒとの間の通信を容易にするために、ｅノードＢ １１０ａおよびＵＥ１２０ｒと通信することができる。中継局は、また、中継ｅノードＢ、リレーなどとも呼ばれ得る。
【００２９】
[0029]  ワイヤレスネットワーク１００は、例えばマクロｅノードＢ、ピコｅノードＢ、フェムトｅノードＢ、リレーなどの異なるタイプのｅノードＢを含む異種ネットワーク（ＨｅｔＮｅｔ）であり得る。これらの異なるタイプのｅノードＢは、ワイヤレスネットワーク１００において異なる送信電力レベル、異なるカバレッジエリア、および干渉に対する異なる影響を有し得る。例えば、マクロｅノードＢが高い送信電力レベル（例えば、２０ワット）を有し得るのに対し、ピコｅノードＢ、フェムトｅノードＢ、およびリレーは、より低い送信電力レベル（例えば、１ワット）を有し得る。
【００３０】
[0030]  ワイヤレスネットワーク１００は、同期動作または非同期動作をサポートし得る。同期動作のために、ｅノードＢは、同様のフレームタイミングを有し得、異なるｅノードＢからの送信は、時間的におおまかにアラインされ（aligned）得る。非同期動作については、ｅノードＢは、異なるフレームタイミングを有し得、異なるｅノードＢからの送信は、時間的にアラインされない可能性がある。本明細書で説明される技法は、同期動作と非同期動作の両方のために使用され得る。
【００３１】
[0031]  ネットワークコントローラ１３０は、ｅノードＢのセットに結合し、これらのｅノードＢに対して調整および制御を提供し得る。ネットワークコントローラ１３０は、バックホール（backhaul）を介してｅノードＢ １１０と通信し得る。ｅノードＢ １１０は、また、例えば、ワイヤレスまたはワイヤラインバックホールを介して直接的または間接的に、互いに通信し得る。
【００３２】
[0032]  ＵＥ １２０（例えば、１２０ｘ、１２０ｙなど）は、ワイヤレスネットワーク１００にわたって分散され得、各ＵＥは、固定式または移動式であり得る。ＵＥは、端末、モバイル局、加入者ユニット、局などとも呼ばれ得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、ネットブック、スマートブックなどであり得る。ＵＥは、マクロｅノードＢ、ピコｅノードＢ、フェムトｅノードＢ、リレーなどと通信可能であり得る。図１では、両側矢印の実線は、ＵＥとサービングｅノードＢとの間の所望の送信を示し、サービングｅノードＢは、ダウンリンクおよび／またはアップリンクでＵＥにサービスするように指定されたｅノードＢである。両側矢印の破線は、ＵＥとｅノードＢとの間の干渉する送信を示す。
【００３３】
[0033]  ＬＴＥは、ダウンリンク上では直交周波数分割多重化（ＯＦＤＭ）を利用し、アップリンク上では単一キャリア周波数分割多重化（ＳＣ−ＦＤＭ）を利用する。ＯＦＤＭおよびＳＣ−ＦＤＭは、システム帯域幅を複数（Ｋ個）の直交サブキャリアに分割し、これらは、また一般に、トーン、ビンなどと呼ばれる。各サブキャリアは、データを用いて変調され得る。一般に、変調シンボルは、ＯＦＤＭでは周波数領域で、およびＳＣ−ＦＤＭでは時間領域で送られる。隣接するサブキャリア間の間隔は、固定であり得、サブキャリアの合計数（Ｋ個）は、システム帯域幅に依存し得る。例えば、サブキャリアのスペーシングは、１５ｋＨｚであり、最小リソース割り当て（minimum resource allocation）（「リソースブロック（resource block）」と呼ばれる）は、１２個のサブキャリア（または１８０ｋＨｚ）であり得る。このように、送信のための信号を生成し受信された信号を復号する際に使用される、ノミナルな（nominal）高速フーリエ変換（ＦＦＴ）のサイズは、システム帯域幅の１.２５、２.５、５、１０、または２０メガヘルツ（ＭＨｚ）に対して、それぞれ、１２８、２５６、５１２、１０２４、または２０４８に等しくなり得る。システム帯域幅は、また、サブバンドに分割され得る。例えば、サブバンドは、１.０８ＭＨｚ（すなわち、６リソースブロック）をカバーし得、システム帯域幅の１.２５、２.５、５、１０、または２０ＭＨｚに対してそれぞれ、１、２、４、８、または１６個のサブバンドが存在し得る。
【００３４】
[0034]  図２は、ＬＴＥにおいて使用されるダウンリンクフレーム構造を示す。ダウンリンク用の送信タイムラインは、無線フレームの単位に分割され得る。各無線フレームは、所定の持続時間（例えば、１０ミリ秒（ｍｓ））を有し、０〜９のインデックスで１０個のサブフレームに分割され得る。各サブフレームは、２つのスロットを含み得る。従って、各無線フレームは、０〜１９のインデックスを有する２０個のスロットを含み得る。各スロットは、Ｌ個のシンボル期間を含み、例えば、（図２において示されるように）ノーマルサイクリックプレフィックス（normal cyclic prefix）については７個のシンボル期間を、または拡張されたサイクリックプレフィックス（extended cyclic prefix）については６個のシンボル期間を含み得る。各サブフレームにおける２Ｌ個のシンボル期間は、０〜２Ｌ−１のインデックスを割り当てられ得る。利用可能な時間周波数リソースは、リソースブロックに分割され得る。各リソースブロックは、１つのスロットにおいてＮ個のサブキャリア（例えば、１２個のサブキャリア）をカバーし得る。
【００３５】
[0035]  ＬＴＥにおいて、ｅノードＢは、ｅノードＢによってサービスされるセルごとのシステム帯域幅の中心１.０８ＭＨｚのダウンリンク上で一次同期信号（ＰＳＳ：primary synchronization signal）および二次同期信号（ＳＳＳ：secondary synchronization signal）を送り得る。ＰＳＳおよびＳＳＳは、図２で示されるように、ノーマルサイクリックプレフィックスの場合、各無線フレームのサブフレーム０および５で、それぞれシンボル期間６および５において送られ得る。同期信号は、セル検出および獲得のためにＵＥによって使用され得る。セル探索および取得中、端末は、セルフレームタイミングおよび基準信号シーケンスを検出し、端末は、セルの物理レイヤアイデンティティ（基準信号シーケンスによって与えられる）を知る。ｅノードＢはまた、特定の無線フレームのスロット１におけるシンボル期間０〜３において物理ブロードキャストチャネル（ＰＢＣＨ：Physical Broadcast Channel）を送信し得る。ＰＢＣＨは、いくつかのシステム情報を搬送し得る。ｅノードＢは、特定のサブフレームにおける物理ダウンリンク共有チャネル（ＰＤＳＣＨ：Physical Downlink Shared Channel）でシステム情報ブロック（ＳＩＢ：System Information Block）のような他のシステム情報を送信し得る。ｅノードＢは、サブフレームの第１のＢ個のシンボル期間における物理ダウンリンク制御チャネル（ＰＤＣＣＨ：Physical Downlink Control Channel）で制御情報／データを送信し得、ここで、Ｂ個は各サブフレームに関して構成可能であり得る。ｅノードＢは、各サブフレームの残りのシンボル期間にＰＤＳＣＨ上でトラフィックデータおよび／または他のデータを送信し得る。
【００３６】
[0036]  ｅノードＢは、図２における第１のシンボル期間全体において示されるが、各サブフレームの第１のシンボル期間の一部のみにおいて物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を伝達し得、ここで、Ｍは、１、２、または３に等しく、サブフレームごとに変わり得る。Ｍはまた、例えば、１０個未満のリソースブロックを有する、小さなシステム帯域幅については、４に等しくなり得る。図２に示される例では、Ｍ＝３である。ｅノードＢは、各サブフレームの最初のＭ個のシンボル期間において（図２ではＭ＝３）、物理ＨＡＲＱインジケータチャネル（ＰＨＩＣＨ：Physical HARQ Indicator Channel）および物理ダウンリンク制御チャネル（ＰＤＣＣＨ）を送り得る。ＰＨＩＣＨは、ハイブリッド自動再送要求（ＨＡＲＱ：hybrid automatic retransmission request）をサポートするために情報を搬送し得る。ＰＤＣＣＨは、ＵＥのためのアップリンクおよびダウンリンクのリソース割り当てに関する情報、およびアップリンクチャネルのための電力制御情報を搬送し得る。図２における第１のシンボル期間には示されていないが、ＰＤＣＣＨおよびＰＨＩＣＨもまた第１のシンボル期間に含まれることが理解される。同様に、ＰＨＩＣＨおよびＰＤＣＣＨはまた、図２に示されていないが、 第２および第３のシンボル期間の両方にある。ｅノードＢは、各サブフレームの残りのシンボル期間において、物理ダウンリンク共有チャネル（ＰＤＳＣＨ）を送り得る。ＰＤＳＣＨは、ダウンリンク上でのデータ送信のためにスケジューリングされたＵＥのためのデータを搬送し得る。ＬＴＥにおける様々な信号およびチャネルは、「Evolved Universal Terrestrial Radio Access (E-UTRA); Physical Channels and Modulation,」と題された、３ＧＰＰ ＴＳ ３６.２１１に説明されており、これは公に入手可能である。
【００３７】
[0037]  ｅノードＢは、ｅノードＢによって使用されるシステム帯域幅の中心１.０８ＭＨｚにおいてＰＳＳ、ＳＳＳ、およびＰＢＣＨを送り得る。ｅノードＢは、これらのチャネルが送られる各シンボル期間において、システム帯域幅全体にわたり、ＰＣＦＩＣＨおよびＰＨＩＣＨを送り得る。ｅノードＢは、システム帯域幅の特定の部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥにブロードキャスト方式でＰＳＳ、ＳＳＳ、ＰＢＣＨ、ＰＣＦＩＣＨおよびＰＨＩＣＨを送り、特定のＵＥにユニキャスト方式でＰＤＣＣＨを送り、また特定のＵＥにユニキャスト方式でＰＤＳＣＨを送り得る。
【００３８】
[0038]  多数のリソース要素が、各シンボル期間において利用可能であり得る。各リソース要素は、１つのシンボル期間において１つのサブキャリアをカバーし、１つの変調シンボルを送るために使用され得、それは、実数値または複素数値であり得る。各シンボル期間において基準信号のために使用されないリソース要素は、リソース要素グループ（ＲＥＧ：resource element group）に配置され得る。各ＲＥＧは、１つのシンボル期間における４つのリソース要素を含み得る。ＰＣＦＩＣＨは、４つのＲＥＧを占有し得、それらは、シンボル期間０において、周波数にわたってほぼ均等に間隔をあけられ得る。ＰＨＩＣＨは、３つのＲＥＧを占有し得、それらは、１つまたは複数の設定可能なシンボル期間において、周波数にわたって拡散され得る。例えば、ＰＨＩＣＨのための３つのＲＥＧは、すべてシンボル期間０に属し得るか、またはシンボル期間０、１および２において拡散され得る。ＰＤＣＣＨは、９、１８、３６、または７２個のＲＥＧを占有し得、それらは、最初のＭ個のシンボル期間において、利用可能なＲＥＧから選択され得る。ＲＥＧの特定の組み合わせのみが、ＰＤＣＣＨに対して許可され得る。
【００３９】
[0039]  ＵＥは、ＰＨＩＣＨとＰＣＦＩＣＨのために使用される特定のＲＥＧを知り得る。ＵＥは、ＰＤＣＣＨのためのＲＥＧの異なる組み合わせをサーチし得る。サーチする組み合わせの数は通常、ＰＤＣＣＨに対して許可される組み合わせの数よりも少ない。ｅノードＢは、ＵＥがサーチするであろう組み合わせのうちのいずれかにおいてＵＥにＰＤＣＣＨを送り得る。
【００４０】
[0040]  ＵＥは、複数のｅノードＢのカバレッジ内にあり得る。これらのｅノードＢのうちの１つが、ＵＥにサービスするために選択され得る。サービングｅノードＢは、受信電力、パスロス、信号対雑音比（ＳＮＲ）などの様々な基準に基づいて選択され得る。
【００４１】
[0041]  図３は、基地局／ｅノードＢ １１０およびＵＥ１２０の設計のブロック図を示し、これらは、図１における基地局／ｅノードＢのうちの１つ、およびＵＥのうちの１つであり得る。制限された関連付けシナリオでは、基地局１１０は、図１におけるマクロｅノードＢ １１０ｃであり、ＵＥ１２０はＵＥ１２０ｙであり得る。基地局１１０はまた、いくつかの他のタイプの基地局であり得る。基地局１１０はアンテナ３３４ａ〜３３４ｔを備え、ＵＥ１２０はアンテナ３５２ａ〜３５２ｒを備え得る。
【００４２】
[0042]  基地局１１０において、送信プロセッサ３２０は、データソース３１２からデータを、およびコントローラ／プロセッサ３４０から制御情報を受信し得る。制御情報は、ＰＢＣＨ、ＰＣＦＩＣＨ、ＰＨＩＣＨ、ＰＤＣＣＨなどのためであり得る。データは、ＰＤＳＣＨなどのためでありうる。プロセッサ３２０は、それぞれデータシンボルおよび制御シンボルを取得するために、このデータおよび制御情報を処理（例えば、符号化およびシンボルマッピング）し得る。プロセッサ３２０は、また、例えば、ＰＳＳ、ＳＳＳのための基準シンボル、およびセル特有の基準信号を生成し得る。送信（ＴＸ）多入力多出力（ＭＩＭＯ：multiple-input multiple-output）プロセッサ３３０は、適用可能な場合、データシンボル、制御シンボル、および／または基準シンボルに空間処理（例えば、プリコーディング）を実行し得、出力シンボルストリームを変調器（ＭＯＤ）３３２ａ〜３３２ｔに供給し得る。各変調器３３２は、出力サンプルストリームを取得するために、それぞれの出力シンボルストリームを（例えば、ＯＦＤＭなどのために）処理し得る。各変調器３３２は、ダウンリンク信号を取得するために、この出力サンプルストリームをさらに処理（例えば、アナログ変換、増幅、フィルタリング、およびアップコンバート）し得る。変調器３３２ａ〜３３２ｔからのダウンリンク信号は、それぞれ、アンテナ３３４ａ〜３３４ｔを介して送信され得る。
【００４３】
[0043]  ＵＥ１２０において、アンテナ３５２ａ〜３５２ｒは、基地局１１０からダウンリンク信号を受信し、受信された信号を、それぞれ、復調器（ＤＥＭＯＤ）３５４ａ〜３５４ｒに提供し得る。各復調器３５４は、入力サンプルを取得するために、それぞれの受信された信号を調整（例えば、フィルタリング、増幅、ダウンコンバート、およびデジタル化）し得る。各復調器３５４はさらに、受信シンボルを取得するために、（例えば、ＯＦＤＭなどのために）入力サンプルを処理し得る。ＭＩＭＯ 検出器３５６は、すべての復調器３５４ａ〜３５４ｒからの受信シンボルを取得し、適用可能であれば、受信シンボルにＭＩＭＯ検出を実行し、検出したシンボルを提供し得る。受信プロセッサ３５８は、検出されたシンボルを処理（例えば、復調、デインタリーブ、および復号）し、ＵＥ １２０のための復号されたデータをデータシンク３６０に提供し、復号された制御情報をコントローラ／プロセッサ３８０に提供し得る。
【００４４】
[0044]  アップリンクでは、ＵＥ １２０において、送信プロセッサ３６４は、データソース３６２からデータ（例えば、ＰＵＳＣＨのための）を受信および処理し、コントローラ／プロセッサ３８０から制御情報（例えば、ＰＵＣＣＨのための）を処理し得る。送信プロセッサ３６４はまた、基準信号のための基準シンボルを生成し得る。送信プロセッサ３６４からのシンボルは、適用可能な場合、ＴＸ ＭＩＭＯプロセッサ３６６によってプリコーディングされ、変調器３５４ａ〜３５４ｒによって（例えば、ＳＣ−ＦＤＭなどのために）さらに処理され、基地局１１０に送信され得る。基地局１１０において、ＵＥ１２０からのアップリンク信号はアンテナ３３４によって受信され、変調器３３２によって処理され、適用可能であればＭＩＭＯ 検出器３３６によって検出され、受信プロセッサ３３８によってさらに処理され、ＵＥ１２０によって送られた制御情報および復号されたデータを取得し得る。受信プロセッサ３３８は、データシンク３３９に復号されたデータを供給し、コントローラ／プロセッサ３４０に復号された制御情報を供給し得る。
【００４５】
[0045]  コントローラ／プロセッサ３４０および３８０は、それぞれ、基地局１１０およびＵＥ１２０における動作を指示し得る。プロセッサ３４０および／または基地局１１０における他のプロセッサおよびモジュールは、例えば、本明細書で説明される技法のための様々な処理の実行を行うか、または指示し得る。プロセッサ３８０および／またはＵＥ１２０における他のプロセッサおよびモジュールはまた、例えば、本明細書で説明される技法のための他の処理および／または図７で図示される機能ブロックの実行を行うか、または指示し得る。メモリ３４２および３８２は、それぞれ、基地局１１０およびＵＥ１２０のためのデータおよびプログラムコードを記憶し得る。スケジューラ３４４は、ダウンリンクおよび／またはアップリンクでのデータ送信のためにＵＥをスケジューリングし得る。
【００４６】
[0046]  １つの態様では、基地局１１０は、少なくとも１つのアップリンク（ＵＬ）またはダウンリンク（ＤＬ）送信のためにコンパクトなダウンリンク制御情報（ＤＣＩ）を生成するための手段を含み、ここで、コンパクトなＤＣＩは、特定の標準的なＤＣＩフォーマットと比較するときに、低減された数のビットと、ＤＣＩを送信するための手段とを備える。１つの態様において、上述された手段は、上述された手段によって記載された機能を実行するように構成された、コントローラ／プロセッサ３４０、メモリ３４２、送信プロセッサ３２０、変調器３３２、およびアンテナ３３４であり得る。別の態様において、上述された手段は、上述された手段によって記載された機能を実行するように構成されたモジュールまたは任意の装置であり得る。１つの構成では、ＵＥ１２０は、少なくとも１つのアップリンク（ＵＬ）またはダウンリンク（ＤＬ）送信のためにコンパクトなダウンリンク制御情報（ＤＣＩ）を受信するための手段を含み、ここで、コンパクトなＤＣＩは、低減された数の標準的なＤＣＩフォーマットのビットと、ＤＣＩを処理するための手段を備える。１つの態様において、上述された手段は、上述された手段によって記載された機能を実行するように構成された、コントローラ／プロセッサ３８０、メモリ３８２、受信プロセッサ３５８、ＭＩＭＯ 検出器３５６、復調器３５４、およびアンテナ３５２であり得る。別の態様において、上述された手段は、上述された手段によって記載された機能を実行するように構成されたモジュールまたは任意の装置であり得る。
【００４７】
[キャリアアグリゲーション］
[0047]  ＬＴＥ−アドバンストＵＥは、各方向の送信のために使用される最大で合計１００ＭＨｚ（５個のコンポーネントキャリア）のキャリアアグリゲーションにおいて割り当てられる最大で２０ＭＨｚの帯域幅のスペクトルを使用し得る。ＬＴＥアドバンストモバイルシステムについては、２つのタイプのキャリアアグリゲーション（ＣＡ：carrier aggregation）の方法、連続的なＣＡおよび不連続的なＣＡが提案されている。不連続的および連続的なＣＡの両方は、ＬＴＥアドバンストＵＥの単一のユニットにサービスするために、複数のＬＴＥ／コンポーネントキャリアをアグリゲートする。様々な実施形態に従って、マルチキャリアシステム（キャリアアグリゲーションとも呼ばれる）において動作するＵＥは、制御およびフィードバック機能のような複数のキャリアの特定の機能を、「一次キャリア（primary carrier）」と呼ばれ得る同一のキャリア上にアグリゲートするように構成される。サポートのために一次キャリアに依存する残りのキャリアは、関連付けられた二次キャリアと呼ばれ得る。例えば、ＵＥは、任意の（optional）専用チャネル（ＤＣＨ：dedicated channel）、スケジューリングされていない許可（nonscheduled grant）、物理アップリンク制御チャネル（ＰＵＣＣＨ：physical uplink control channel）、および／または物理ダウンリンク制御チャネル（ＰＤＣＣＨ：physical downlink control channel）によって提供されるもののような制御機能をアグリゲートし得る。ＣＡは、二次キャリアの全てがデータ送信のために利用可能である一方、一次キャリア上のリソースのみが制御機能のために使用されるという点で、全体の送信効率を改善することができる。よって、制御機能に対する送信データの比は、非ＣＡ技法と比較するとき、ＣＡによって増加され得る。
【００４８】
[0048]  図４は、互いに隣接する複数の利用可能なコンポーネントキャリア４１０がアグリゲートされる、連続的なＣＡ  ４００を図示する。
【００４９】
[0049]  図５は、不連続的なＣＡ  ５００を図示し、ここで、周波数帯域に沿って分離された複数の利用可能なコンポーネントキャリア４１０がアグリゲートされる。
【００５０】
[0050]  図６は、１つの例に従った、物理チャネルをグループ化することによって複数のキャリアワイヤレス通信システムにおいて無線リンクを制御するための方法６００を図示する。示されるように、方法は、ブロック６０５において、一次キャリアおよび１つまたは複数の関連する二次キャリアを形成するために、少なくとも２つのキャリアから１つのキャリア上に制御機能をアグリゲートすることを含む。例えば、図４におけるコンポーネントキャリア４１０ａ、４１０ｂ、および４１０ｃのための制御機能の全ては、コンポーネントキャリア４１０ａ上でアグリゲートされ得、それは、キャリア４１０ａ、４１０ｂ、および４１０ｃのアグリゲーションのための一次キャリアとして動作する。次にブロック６１０において、通信リンクは、一次キャリアおよび各二次キャリアのために確立される。例えば、ｅノードＢに関連付けられたＵＥは、コンポーネントキャリア４１０ａ、４１０ｂ、および４１０ｃに関する構成情報と、一次キャリア４１０ａ上で受信されるべき制御情報と、二次キャリア４１０ｂおよび４１０ｃに関連付けられるべき制御情報との間のマッピングを指示する構成情報とを受信する。次に、通信は、ブロック６１５において一次キャリアに基づいて制御される。例えば、ｅノードＢは、ＵＥに指示され、二次キャリア４１０ｂ上のｅノードＢによって送信される、ＰＤＳＣＨのためのＵＥへのダウンリンク許可を伝達する一次キャリア４１０ａ上で、ＵＥにＰＤＣＣＨを送信し得る。
【００５１】
[新しいキャリアタイプ］
[0051]  これまで、ＬＴＥ−Ａの標準化は、新しいリリースへのスムーズな移行を可能にする、後方互換性のあるキャリアを要求してきた。しかしながら、これは、帯域幅を介して各サブフレーム内の共通基準信号（ＣＲＳ：common reference signal、セル固有の基準信号とも呼ばれる）を連続的に送信するためのキャリアが要求される。限られた制御シグナリングのみが送信されるときでさえ、セルが増幅器にエネルギー消費を継続させ続けるため、多くのセル側の電力消費が電力増幅器によって引き起こされる。新しいキャリアタイプ（ＮＣＴ：new carrier type）は、５つのサブフレーム中の４つでＣＲＳの送信を解除する（removing）ことによって、セルのスイッチを定期的にオフにすることを可能にする。これは、電力増幅器によって消費された電力を低減させる。また、ＣＲＳが帯域幅を介して各サブフレーム内で連続的に送信されない可能性があるため、ＣＲＳからの干渉およびオーバヘッドもまた低減し得る。ＣＲＳは、ＬＴＥのリリース８で導入された、ＬＴＥの最も基本的なダウンリンク基準信号である。これらは、周波数領域内の、および各ダウンリンクサブフレーム内のリソースブロックごとに送信される。セル内のＣＲＳは、１つ、２つ、または４つの対応するアンテナポートのためのものであり得る。ＣＲＳは、コヒーレント復調（coherent demodulation）のためのチャネルを推定するために遠隔端末によって使用され得る。加えて、新しいキャリアタイプは、ダウンリンク制御チャネルが、ＵＥ固有の復調基準ンシンボルを使用して動作されることを可能にする。新しいキャリアタイプは、別のＬＴＥ／ＬＴＥ Ａキャリアとともに拡張キャリアの種類として、または代替的に独立型の後方非互換性のキャリアとして、動作され得る。
【００５２】
[ＬＴＥでのＮＣＴにおけるコンパクトなＤＣＩフォーマットを用いたＰＤＳＣＨ送信方式の例］
[0052]  各ＰＤＣＣＨ上で送られる制御情報は、１つまたは複数のダウンリンク許可、１つまたは複数のアップリンク許可、電力制御情報、および／または他の情報を伝達し得る。ＬＴＥ Ｒｅｌ−８／９／１０／１１では、各物理ダウンリンク制御チャネル（ＰＤＣＣＨ）は、ダウンリンク制御情報（ＤＣＩ：downlink control information）フォーマットに従う。上記のグループ間、同様にグループ内の両方で、制御情報の異なるタイプは、異なるＤＣＩメッセージサイズに対応する。従って、ＤＣＩは、異なるＤＣＩフォーマットにカテゴリ化される。ダウンリンク（ＤＬ）許可ＤＣＩフォーマットは、フォーマット１、１Ａ、１Ｂ、１Ｄ、２、２Ａ、２Ｂ、２Ｃ、および２Ｄを含み得る。アップリンク（ＵＬ）許可ＤＣＩフォーマットは、フォーマット０および４を含み得る。ブロードキャスト／マルチキャストＤＣＩフォーマットは、フォーマット１Ｃ、３、３Ａを含み得る。
【００５３】
[0053]  特定の態様では、各ＤＣＩフォーマットは、１６ビットのＣＲＣを含み、それは、識別子（ＩＤ）（例えば、ＵＥ固有のＩＤまたはブロードキャスト／マルチキャストＩＤ）によってマスキングされる（masked）。ＤＣＩのサイズは、システム帯域幅、システムタイプ（ＦＤＤまたはＴＤＤ）、共通基準信号（ＣＲＳ：common reference signal）アンテナポートの数、ＤＣＩフォーマット、キャリアアグリゲーションが使用されるか否か、などに依存し得る。ＤＣＩのサイズは通常、ＣＲＣ を含む数十のビット（例えば、３０〜７０）である。ＵＥは、ＣＲＣ上でＵＥ固有のＩＤ（またはＵＥに割り当てられたブロードキャスト／マルチキャストＩＤ、ページング指示ＩＤなど）を利用してアンマスキング動作（unmasking operation）を実行することによって、ＤＣＩがＵＥに向けられることを決定し得、ＤＣＩとアンマスキングされたＣＲＣとが一致するか（すなわち、アンマスキングされたＣＲＣは、ＤＣＩから計算されたＣＲＣと一致する）を決定する。
【００５４】
[0054]  加えて、ＵＥは、それにアドレスされた１つまたは複数のＰＤＣＣＨがあるか否かを復号するために、ブラインド復号（blind decode）を実行することが必要であり得る。ＵＥは、サブフレーム内のどのＰＤＣＣＨ候補がＵＥに向けられたＰＤＣＣＨであるかを決定するために、ＰＤＣＣＨ候補でブラインド復号を実行する。ＵＥは、ＵＥ固有のサーチ空間からＰＤＣＣＨ候補においてブラインド復号を試みる前に、共通サーチ空間（common search space）からのＰＤＣＣＨ候補においてブラインド復号を試みる。ＰＤＣＣＨのサイズは、かなり異なり得る。従って、任意の所与のサブフレーム内に多数のＰＤＣＣＨ候補が存在し得る。ブラインド復号の数は、ＬＴＥ Ｒｅｌ−８および９では最大で４４であり得、ＬＴＥ Ｒｅｌ−１０では、ＵＬ ＭＩＭＯが構成されるとき、最大で６０であり得る。
【００５５】
[0055]  強化された物理ダウンリンク制御チャネル（ＥＰＤＣＣＨ：enhanced physical downlink control channel）の開発は、協調マルチポイント（ＣｏＭＰ：cooperative multi-point）、ＤＬ多入力多出力（ＭＩＭＯ）の強化、さらに強化されたセル間干渉協調（ＩＣＩＣ：inter-cell interference coordination）、新しいキャリアタイプ（ＮＣＴ、後にＲｅｌ−１２まで延期される）を含む、Ｒｅｌ−１１における複数の作業項目によって動機付けられる。ＥＰＤＣＣＨは、周波数分割多重（ＦＤＭ）ベースである。復調基準信号（ＤＭ−ＲＳ）ベースのＥＰＤＣＣＨのみがサポートされる。ＰＤＳＣＨのためのＤＭ−ＲＳ ＲＥの数は、ＰＤＳＣＨのランクに依存する（例えば、ノーマルサイクリックプリフィクス（ＣＰ：cyclic prefix）の場合に、ランク１およびランク２のＰＤＳＣＨ送信については１２個のＤＭ−ＲＳ ＲＥ、並びにランク３および上位のＰＤＳＣＨ送信については２４個のＤＭ−ＲＳ ＲＥ）が、簡略化のために、ＥＰＤＣＣＨの設計は、ノーマルＣＰの場合、常に２４個のＤＭ−ＲＳ ＲＥであると仮定することによって、ＤＭ−ＲＳ ＲＥの最大存在数（maximum presence）を仮定する（すなわち、ｅノードＢは、ｅノードＢがランク３または高次のＰＤＳＣＨを送信せず、またＤＭ−ＲＳ ＲＥが使用されない場合であっても、ランク３および上位のＰＤＳＣＨを送信するときにＤＭ−ＲＳのために使用され得るＲＥを使用してＥＰＤＣＣＨを送信しない可能性がある）。ＥＰＤＣＣＨは、ＤＭ−ＲＳのために使用されるポートに対応する、１０７、１０８、１０９、および１１０の４つの利用可能なアンテナポートを使用する。
【００５６】
[0056]  ＥＰＤＣＣＨのための２つの動作モードがサポートされる。第１のモードは、ローカライズされたＥＰＤＣＣＨであり、ここで、単一のプリコーダが各物理リソースブロック（ＰＲＢ：physical resource block）のペアに適用される。第２のモードは、分散されたＥＰＤＣＣＨであり、ここで、２つのプリコーダサイクルは、各ＰＲＢペア内の割り当てられたリソースを通り、ＰＲＢペアは、単一のサブフレームの２つのスロットにおける同じサブフレーム上の２つのＰＲＢを指す。物理リソースブロック（ＰＲＢ）は、シンボルおよびサブキャリアの最小の割り当てを表す。ＬＴＥでは、１ミリ秒の１つのサブフレームは、２つのリソースブロックに対応する。ＬＴＥにおいて各物理リソースブロックは、７つのシンボル（ノーマルサイクリックプリフィクスを使用するとき）、または６つのシンボル（拡張されたサイクリックプリフィクスを使用するとき）のために最大１２個のサブキャリアで構成される。
【００５７】
[0057]  各ＵＥは、最大で２つのＥＰＤＣＣＨリソースセットを有するサービングネットワークによって構成され得、ここで、各リソースのセットは、２、４、または８のＰＲＢペアで別個に構成される。各リソースセットはまた、ローカライズされたモード、または分散されたモードのいずれかで別個に構成される。ＥＰＤＣＣＨサーチ空間は、各ＥＰＤＣＣＨリソースセット内で定義される。例えば、ＵＥ １は、２つのＰＲＢペアから成り、ローカライズモードで構成されるＥＰＤＣＣＨリソースセットＡと、４つのＰＲＢペアから成り、分散モードで構成されるリソースセットＢとを有するサービングネットワークによって構成され得る。ＵＥ ２は、分散モードで構成されるリソースセットＣと、ローカライズモードで構成され、４つのＰＲＢペアから成る各セットを有するリソースセットＤを用いて構成され得る。リソースセットＡ、Ｂ、Ｃ、およびＤの各々は、定義された異なるＥＰＤＣＣＨサーチ空間を有し得る。
【００５８】
[0058]  新しいキャリアタイプ（ＮＣＴ：New Carrier Type）は、ＬＴＥ Ｒｅｌ−１２で定義され得る。ＮＣＴは、キャリアアグリゲーション（ＣＡ）システムにおける１つまたは複数の関連付けられた二次キャリアとして、ＣＡのコンテキストでサポートされ得る。上述されるように、関連付けられた二次キャリアとして使用されるＮＣＴキャリアは、ＰＢＣＨ、ＰＤＣＣＨ、およびＥＰＤＣＣＨを搬送しない可能性があり、一次キャリアと比較するときに、減少した数のＣＲＳを有し得る。独立型の（すなわち、他のキャリアとアグリゲートされない）ＮＣＴはまた、ＬＴＥ Ｒｅｌ−１２でサポートされ得る。
【００５９】
[0059]  上述されるように、ＮＣＴは、従来のキャリアタイプ（ＬＣＴ：legacy carrier type）と比較するとき、低減されたＣＲＳオーバヘッドを有する。ＮＣＴでは、ＣＲＳは、５ミリ秒ごとに１度のみ送信され得（対、ＬＣＴ内のサブフレームごとに）、１ポート（対、ＬＣＴ内の最大で４つのＣＲＳポート）を使用する。ＮＣＴでは、ＣＲＳは、復調のために使用されない可能性がある。ＮＣＴにおけるＣＲＳは、時間／周波数の追跡、および／または基準信号受信電力（ＲＳＲＰ：reference signal received power）測定のために使用され得る。
【００６０】
[0060]  従来のキャリアタイプ（ＬＣＴ）では、ＣＲＳは、サブフレームごとに送信される。ＬＣＴにおいてもまた、ＵＥは、ＤＬ送信モードで半静的（semi-statically）に構成される（例えば、ＲＲＣシグナリングを介して）。ＬＴＥにおける送信モードは、「Evolved Universal Terrestrial Radio Access (E-UTRA); Physical Layer Procedures」と題された、３ＧＰＰ ＴＳ ３６. ２１３において説明されており、それは、公に入手可能である。ＤＬ許可のためのＤＣＩフォーマットは、各ＤＬ送信モードに関連付けられる。１つのＤＣＩフォーマットは、ＤＣＩフォーマット１Ａ（コンパクトなＤＣＩフォーマット）であり、他のＤＣＩフォーマットは、従属するＤＬモード（例えば、ＤＬ送信モード１０の場合、ＤＣＩフォーマット２Ｄ）である。コンパクトなＤＣＩフォーマット１Ａは、他のＤＣＩフォーマットよりもさらに効率的なＤＬ制御オーバヘッドであり、ランク１のＰＤＳＣＨ送信をスケジューリングし得る。ＤＣＩフォーマット１Ａは通常、ＣＲＳベースの空間周波数ブロックコード（ＳＦＢＣ：space frequency block code）ＰＤＳＣＨ送信をスケジューリングする。
【００６１】
[0061]  マルチメディアブロードキャスト単一周波数ネットワーク（ＭＢＳＦＮ：multimedia broadcast single frequency network）サブフレームでは、ＣＲＳがＭＢＳＦＮサブフレームのＭＢＳＦＮ領域内に存在しない場合、ＵＥ固有の基準信号（ＵＥ−ＲＳ）ベースのＰＤＳＣＨ送信は、ＤＣＩフォーマット１Ａによってスケジューリングされ得、それは単一のアンテナポート（例えば、ＤＬ送信モードに依存する、ポート５またはポート７）に関連付けられる。
【００６２】
[0062]  特定の態様によると、コンパクトなＤＣＩフォーマットによってスケジューリングされたＰＤＳＣＨ送信は、ＮＣＴにおいてサポートされ得る。このようなＤＣＩフォーマットは、存在するＤＣＩフォーマット１Ａに基づいていない可能性があるが、便宜のために、コンパクトなＤＣＩフォーマットは、本明細書ではＤＣＩフォーマット１Ａ’と呼ばれる。ＤＬスケジューリングのためのコンパクトなＤＣＩフォーマットの使用は、他のＤＣＩフォーマットと比較して、ＮＣＴにおける低減されたＤＬ制御オーバヘッドを可能にするだろう。
【００６３】
[0063]  特定の態様によると、ＵＬスケジューリングのためのコンパクトなＤＣＩフォーマットは、本明細書ではＤＣＩフォーマット０’と呼ばれ（ＬＣＴにおいてランク１のＰＵＳＣＨ送信をスケジューリングする、ＤＣＩフォーマット０の代わりに）、ＮＣＴにおいてサポートされ得る。ＵＬスケジューリングのためのコンパクトなＤＣＩフォーマットの使用は、他のフォーマットと比較して、ＮＣＴでの低減されたＤＬ制御オーバヘッドを可能にするだろう。
【００６４】
[0064]  ＬＣＴにおいて、ＤＣＩフォーマット１ＡによってスケジューリングされたＵＥ−ＲＳベースのＰＤＳＣＨ送信は、閉ループビームフォーミング（ＣＬＢＦ：closed loop beamforming）で使用される（すなわち、セルが、特定のビームのためにチャネル状態に関してＵＥから明確なフィードバックを受信する）か、または開ループビームフォーミング（ＯＬＢＦ：open loop beamforming）で使用され（すなわち、セルが、特定のビームのためにチャネル状態に関してＵＥから明確なフィードバックを受信しない）得る。後者の場合（ＯＬＢＦ）、ネットワーク内のセルによって実行されるビームサイクリング（beam cycling）は、ＰＲＢごとに、ＰＲＢペアごとに、または物理リソースブロックグループ（ＰＲＧ：physical resource block group）ベースごとに行われる。ビームサイクリングがＰＲＢ（またはＰＲＢペア）ベースであるとき、ビームサイクリングは、第１のＰＲＢ（またはＰＲＢペア）において第１のビームを使用し、第１のＰＲＢ（またはＰＲＢペア）と第２のＰＲＢ（またはＰＲＢペア）との両方がＰＤＳＣＨに割り当てられるとき、第２のＰＲＢ（またはＰＲＢペア）において第２のビームを使用する。ＵＥが、プリコーディングマトリックスインジケータ（ＰＭＩ：precoding matrix indicator）ベースのチャネル状態インジケータ（ＣＳＩ：channel state indicator）レポーティング（特定のビームのためのチャネル状態に関する明確なフィードバックの形式）で構成されない場合、リソース割り当てがアンテナポート５に基づいている分散された仮想リソースブロックのリソース割り当てに基づいている場合には、ビームサイクリングはＰＲＢベースであり、一方、そうでない場合には、ビームサイクリングはＰＲＢペアベースである。特に、ＰＤＳＣＨがアンテナポート７に基づいているとき、ＰＲＢペアベースのビームサイクリングのみが利用可能である。ビームサイクリングは、ＰＭＩベースのＣＳＩフィードバックがＵＥ上で構成される場合、ＰＲＧベースである。結果として、特に、ＰＲＧベースのビームサイクリングが使用可能であるとき、制限されたダイバーシティ利得（diversity gain）が存在し得る。
【００６５】
[0065]  特定の態様によると、ＤＣＩフォーマット１Ａ’によってスケジューリングされた閉ループビームフォーミングおよび開ループビームフォーミングベースの両方のＰＤＳＣＨ送信は、ＮＣＴにおいてサポートされ得る。例えば、ＮＣＴキャリアを使用するように構成されるセルは、ＰＭＩベースのＣＳＩレポーティングで構成されていないＵＥに、ＤＣＩフォーマット１Ａ’によってスケジューリングされたＰＤＳＣＨを送信するときに、ＰＲＢベースのビームサイクリングを使用してＯＬＢＦを実行し、およびＰＭＩベースのＣＳＩレポーティングで構成されるＵＥに、ＤＣＩフォーマット１Ａ’によってスケジューリングされたＰＤＳＣＨを送信するときに、ＣＬＢＦを使用してＯＬＢＦを実行し得る。
【００６６】
[0066]  特定の態様によると、ＤＣＩフォーマット１Ａ’によってスケジューリングされた閉ループビームフォーミングベースのＰＤＣＳＨ送信は、１つのアンテナポートに基づき得る。例えば、ＮＣＴキャリアを使用するように構成されたセルは、アンテナポート１０７に基づいてＤＣＩフォーマット１Ａ’によってスケジューリングされるＰＤＳＣＨを送信し得る。
【００６７】
[0067]  特定の態様によると、ＤＣＩフォーマット１Ａ’によってスケジューリングされた開ループビームフォーミングベースのＰＤＣＳＨ送信は、２つのアンテナポートまたは１つのアンテナポートに基づき得る。例えば、ＮＣＴキャリアを使用するように構成されたセルは、アンテナポート５、７、またはその両方に基づいてＤＣＩフォーマット１Ａ’によってスケジューリングされるＰＤＳＣＨを送信し得る。
【００６８】
[0068]  特定の態様によると、２つのアンテナポートベースの開ループビームフォーミングＰＤＳＣＨは、ＰＲＢペア内のビームサイクリングを可能にする。例えば、ＮＣＴキャリアを使用するように構成されたセルは、ＰＲＢベースのビームサイクリングを実行している間、ＤＣＩフォーマット１Ａ’によってスケジューリングされたＰＤＳＣＨを送信し得る。
【００６９】
[0069]  特定の態様によると、１つのアンテナポートベースの開ループビームフォーミングＰＤＳＣＨは、ＰＲＧがいくつかのＰＤＳＣＨ送信についてＵＥのために構成されるときでさえ、ＰＲＢレベルのビームフォーミングを可能にし、それは、従来の動作とは異なる。例えば、ＮＣＴキャリアを使用するように構成されたセルは、ＰＲＢベースのビームサイクリングを実行する間、ＰＲＧ全体にわたり、ＤＣＩフォーマット１Ａ’によってスケジューリングされたＰＤＳＣＨを送信し得る。
【００７０】
[0070]  特定の態様によると、ＰＲＢ（あるいはＰＲＢペア）レベルサイクリングが選択されるか、またはＰＲＧレベルサイクリング（あるいはより一般的には、第１のリソースの粒度または第２のリソースの粒度に基づいたビームサイクリング）が選択されるかは、ＰＤＳＣＨの割り当てサイズに関連し得る。割り当てサイズが閾値を下回る場合、第１のリソース粒度ベース（resource granularity）の（例えば、ＰＲＢペアベースの）ビームサイクリングは、いくつかのチャネル推定損失の消費においてより優れたダイバーシティを可能にするために選択され得、そうでなければ、第２のリソース粒度ベースの（例えば、ＰＲＧベースの）ビームサイクリングは、改善されたチャネル推定が良好なダイバーシティを享受している（enjoying）間に取得されるように選択される。例えば、ＮＣＴキャリアを使用するように構成されたセルは、１つのＰＲＢペアまたはそれより小さいもののＰＤＳＣＨを送信し得、ＰＲＢベースのビームサイクリングを使用してＤＣＩフォーマット１Ａ’によってスケジューリングされ、１つのＰＲＢペアよりも大きいＰＤＳＣＨを送信する場合は、ＰＲＧベースのビームサイクリングを使用してＤＣＩフォーマット１Ａ’によってスケジューリングされる。
【００７１】
[0071]  特定の態様によると、第１のリソース粒度または第２のリソース粒度（例えば、ＰＲＢペアサイクリングまたはＰＲＧサイクリング）の選択は、割り当てタイプに依存し得る。例えば、割り当てがローカライズされる（物理的に隣接する）場合にＰＲＧレベルサイクリングが選択され得、そうでなければ、割り当てが周波数分散される（frequency-distributed）場合、次にＰＲＢ（またはＰＲＢペア）ベースのサイクリングが選択され得る。特に、ＰＲＢレベルベースのビームサイクリングは、アンテナポート７ベースのＰＤＳＣＨ送信にスケジューリングされたＤＣＩフォーマット１Ａ’について、分散された仮想リソースブロックのリソース割り当ての下でサポートされ得、それは、従来の動作とは異なり、ここで、ＰＲＢレベルベースのビームサイクリングは、アンテナポート７ベースのＰＤＳＣＨ送信にスケジューリングされたＤＣＩフォーマット１Ａについてサポートされない。
【００７２】
[0072]  特定の態様によると、ＣＬＢＦがローカライズされた仮想リソースブロック（ＬＶＲＢ：localized virtual resource block）がセル内で使用されるときに選択され得る一方、ＯＬＢＦは、分散された仮想リソースブロック（ＤＶＲＢ：distributed virtual resource block）がセル内で使用されるときに選択され得る。例えば、ＮＣＴキャリアを使用するように構成されたセルは、ＣＬＢＦを使用してＬＶＲＢ上のＤＣＩフォーマット１Ａ’によってスケジューリングされたＰＤＳＣＨを第１のＵＥに送信し、一方、ＯＬＢＦを使用してＤＶＲＢ上でＤＣＩフォーマット１Ａ’によってスケジューリングされたＰＤＳＣＨを第２のＵＥに送信する。
【００７３】
[0073]  特定の態様によると、ブロードキャストまたはユニキャストＰＤＳＣＨの使用は、ＰＤＳＣＨがＤＣＩフォーマット１Ａ’によってスケジューリングされるときに、ＣＬＢＦおよびＯＬＢＦをサポートする能力を変化させない。さらに、ブロードキャストおよびユニキャストＰＤＳＣＨの両方が、ＰＲＢ（またはＰＲＢペア）ベースのおよびＰＲＧベースのビームサイクリングを使用し得る。
【００７４】
[0074]  特定の態様によると、ＰＲＢ（またはＰＲＢペア）ベースのまたはＰＲＧベースのビームサイクリングの選択は、ＰＤＳＣＨがブロードキャストであるか、またはユニキャストであるかに基づき得る。例えば、ＰＤＳＣＨがブロードキャストである場合、ＰＲＢ（またはＰＲＢペア）ベースのビームサイクリングが選択され得る。
【００７５】
[0075]  特定の態様によると、ユニキャストＰＤＳＣＨは、制御チャネルが、ＵＥ固有のサーチ空間から来るか、または共通のサーチ空間（ＣＳＳ：common search space）から来るかに関わらず、ＣＬＢＦおよびＯＬＢＦをサポートし得る。例えば、ＮＣＴキャリアを使用するように構成されたセルは、ＯＬＢＦを使用して送信されたＰＤＳＣＨをスケジューリングするＵＥ固有のサーチ空間において、ＥＰＤＣＣＨを送信し得る。
【００７６】
[0076]  特定の態様によると、ＰＤＳＣＨのために選択されたサーチ空間は、また、例えば、ＰＤＳＣＨが共通のサーチ空間から来る場合に使用されるべきビームサイクリングのタイプを決定し得、次に、ＰＲＢ（またはＰＲＢペア）ベースのビームサイクリングが常に選択され得る。
【００７７】
[0077]  特定の態様によると、１つのポートおよび２つのポートベースのＯＬＢＦの両方がサポートされ得、セルは、半静的または動的の２つのいずれかの間でスイッチングし得る。例えば、ＮＣＴキャリアを使用するように構成されたセルは、２つのポートベースのＯＬＢＦ ＰＤＳＣＨを受信するために、サービングされたＵＥを半静的に構成し得る（例えば、ＲＲＣシグナリングを使用して）。
【００７８】
[0078]  特定の態様によると、ＤＣＩフォーマット１Ａ’に関連づけられたＰＤＳＣＨ送信が、ＣＬＢＦを使用するかＯＬＢＦを使用するかは、ＵＥに対して透過的（transparent）であり得る。例えば、ＵＥは、セルがＯＬＢＦを使用して送信されたＰＤＳＣＨに応答して、セルにＰＭＩベースのＣＳＩを送信し得る。
【００７９】
[0079]  特定の態様によると、ＤＣＩフォーマット１Ａ’に関連づけられたＰＤＳＣＨ送信が、ＣＬＢＦであるかＯＬＢＦであるかは、ＵＥに対して非透過的（non-transparent）であり得る。例えば、ＯＬＢＦが２つのアンテナポートに基づいている場合、ビームフォーミングのタイプは、ＰＤＳＣＨが１つのアンテナポート（ＣＬＢＦ）に基づいているか、または２つのアンテナポート（ＯＬＢＦ）に基づいているかによってＵＥに指示される。このような指示は明確であり得、例えば、１つのビットがＰＤＳＣＨで使用されるビームフォーミングの選択されたタイプを指示するために、ＤＣＩフォーマット１Ａ’において搬送され得る。
【００８０】
[0080]  特定の態様によると、ＤＣＩフォーマット１Ａ’に関連付けられたＰＤＳＣＨ送信が、ＣＬＢＦであるかＯＢＬＦ であるかは、暗黙的にＵＥに指示され得る。例えば、セルによって使用されるリソース割り当てがローカライズされる場合、対応するＰＤＳＣＨは、１つのアンテナポートまたはＣＬＢＦに基づき、一方、セルによって使用されるリソース割り当てが分散される場合、対応するＰＤＳＣＨは、２つのアンテナポートまたはＯＬＢＦに基づいている。
【００８１】
[0081]  特定の態様によると、ＤＣＩフォーマット１Ａ’に関連付けられたＰＤＳＣＨ送信が、ＣＬＢＦであるかＯＢＬＦであるかは、ＣＣＥ、ＥＰＤＣＣＨリソースセット、ＥＰＤＣＣＨ復号候補（EPDCCH decoding candidate）、サブフレームインデックスなどを開始することに基づいて、暗黙的にＵＥに指示され得る。例えば、第１のリソースセットを使用して送信されるＥＰＤＣＣＨは、ＣＬＢＦを使用して送信されるべきＰＲＢのセット内にＰＤＳＣＨをスケジューリングし得るが、第２のリソースセットを使用して送信される同様のＥＰＤＣＣＨは、ＯＬＢＦを使用して送信されるべきＰＲＢの同じセット内にＰＤＳＣＨをスケジューリングされるだろう。
【００８２】
[0082]  特定の態様によると、ＤＣＩフォーマット１Ａ’に関連付けられたＰＤＳＣＨ送信が、ＣＬＢＦであるかＯＢＬＦであるかの指示は、半静的（例えば、ＲＲＣ構成によって指示される）または動的（例えば、制御チャネルによって指示される）であり得る。例えば、セルは、それぞれ、ＣＬＢＦまたはＯＬＢＦを指示するために、各ＥＰＤＣＣＨにおいてビットを０または１にセットし得る。
【００８３】
[0083]  特定の態様によると、ＤＣＩフォーマット１Ａ’に関連付けられたＰＤＳＣＨ送信が、ＣＬＢＦであるかＯＢＬＦであるかの指示は、特定のトラフィックタイプに（例えば、ブロードキャストにではなく、ユニキャストに）制限され得る。例えば、セルは、ＤＣＩフォーマット１Ａ’によってスケジューリングされたユニキャストＰＤＳＣＨがＣＬＢＦで送信され得る一方、ブロードキャストＰＤＳＣＨがＯＬＢＦで送信され得るように、サービングされたＵＥを半静的に構成し得る。
【００８４】
[0084]  特定の態様によると、ＤＣＩフォーマット１Ａ’に関連付けられたＰＤＳＣＨ送信が、ＣＬＢＦであるかＯＢＬＦであるかの指示は、特定のサーチ空間に制限され得る（例えば、ＵＥ固有のサーチ空間から制御チャネルに制限されるが、共通制御空間からはそれらに制限されない）。例えば、ＵＥは、ＣＬＢＦで送信されるスケジューリングＰＤＳＣＨとしてＵＥ固有のサーチ空間から受信されたＥＰＤＣＣＨを扱うように構成される一方、共通する固有のサーチ空間（common specific search space）から受信されたＥＰＤＣＣＨは、ＯＬＢＦで送信されるスケジューリングＰＤＳＣＨとして扱われる。
【００８５】
[0085]  ＬＣＴでは、ＰＲＧベースのビームサイクリングは（ビームが各ＰＲＧのためにサイクリングされる場合）、ＵＥごとに使用可能であり得る。特定の態様によると、ＰＲＧベースのビームサイクリングは、セルごとに使用可能であり得る（例えば、ブロードキャストを使用して）。
【００８６】
[0086]  特定の態様によると、ＰＲＧベースのビームサイクリングは、ＮＣＴを使用する間、常に利用可能であり得る。例えば、ＮＣＴをサポートするＵＥおよびセルは、ＰＲＧベースのビームサイクリングを使用してＮＣＴキャリアを送信／受信するようにプログラムされ得る。
【００８７】
[0087]  特定の態様によると、ＤＣＩフォーマット１Ａ’によってスケジューリングされたＭＵ−ＭＩＭＯ ＰＤＳＣＨがサポートされ得る。例えば、ＮＣＴキャリア上で動作するセルは、複数のＵＥに複数のレイヤにおいて複数のＰＤＳＣＨをスケジューリングするために、ＤＣＩフォーマット１Ａ’を使用し得る（すなわち、ＭＵ−ＭＩＭＯ）。
【００８８】
[0088]  特定の態様によると、ＤＣＩフォーマット１Ａ’によってスケジューリングされたＭＵ−ＭＩＭＯ ＰＤＳＣＨ動作は、ＭＩＭＯ ＤＣＩフォーマット（例えば、ＤＣＩフォーマット２Ｄ）のスケジューリングされたＭＵ−ＭＩＭＯ動作と同様であるが、ＤＣＩフォーマット１Ａ’によってスケジューリングされたＭＵ−ＭＩＭＯ ＰＤＳＣＨ動作は、ランク１の送信およびコンパクトなリソース割り当てに制限され得る。
【００８９】
[0089]  特定の態様によると、ＤＣＩフォーマット１Ａ’によってスケジューリングされたＭＵ−ＭＩＭＯ ＰＤＳＣＨ動作は、アンテナポート９および１０がＤＣＩフォーマット１Ａ’のスケジューリングされたＰＤＳＣＨ動作についてもまた可能である場合に、使用可能である２４個のＤＭ−ＲＳ ＲＥに代わって、アンテナポート７、８、および１２個のＤＭ−ＲＳ ＲＥのみに制限され得る。ＤＣＩフォーマット１Ａ’を用いたポート９および１０を使用可能にすることは、最大で４つのレイヤの直交ＭＵ−ＭＩＭＯ送信を使用可能にし得る。
【００９０】
[0090]  特定の態様によると、ＤＣＩフォーマット１Ａ’における１ビットのスクランブリングＩＤを使用する非直交ＤＭ−ＲＳが使用可能であり得る。例えば、セルは、各ＵＥのための異なるスクランブリングＩＤを用いて、非直交ＤＭ−ＲＳに基づいて同じＰＲＢにおいてＰＤＳＣＨを受信するように２つのＵＥをスケジューリングし得（すなわち、１ビットのスクランブリングＩＤは、第１のＵＥに対して０であり、第２のＵＥに対して１である）、それら自体のＰＤＳＣＨを復号するためにそれらのスクランブリングＩＤに基づいてデスクランブリング（descrambling）を使用する各ＵＥを用いて、各ＵＥにＰＤＳＣＨを送信する。ＤＣＩフォーマット１Ａ’において１ビットのスクランブリングＩＤを使用する非直交ＤＭ−ＲＳは、最大で２つのレイヤのＭＵ−ＭＩＭＯのみをサポートし得る。
【００９１】
[0091]  特定の態様によると、ＬＣＴ ＭＩＭＯ ＤＣＩフォーマットにおいて定義される１ビットのスクランブリングＩＤ（例えば、ＤＣＩフォーマット２Ｄ内のもの）は、固定されたスクランブリングＩＤ（例えば、０）をもつために、無効にされ得る。
【００９２】
[0092]  特定の態様によると、非直交ＤＭ−ＲＳは、さらなるＭＵ−ＭＩＭＯの柔軟性（flexibility）を使用可能にするために、ＮＣＴにおいてサポートされ、また非直交ＭＵ−ＭＩＭＯは、ＵＥ固有の仮想セルＩＤを使用することによって使用可能にされ、ここで、ＵＥについての仮想セルＩＤは、ＲＲＣ構成に基づいて決定され得る。例えば、セルは、仮想セルＩＤを用いてセルのサービングＵＥのいくつかまたは全てを構成し得（例えば、ＲＲＣ構成を介して）、セルが非直交ＤＭ−ＲＳに基づいてＰＤＳＣＨを送信することを決定するとき、特定の仮想セルＩＤを使用して送信する。
【００９３】
[0093]  図７は、本開示の特定の態様に従った、例示的なＤＣＩフォーマット１Ａ’ ７００を図示する。列７０２は、ＤＣＩフォーマット１Ａ’のためのフィールドをリスト化している。列７０２に含まれるものは、２つの新規の（すなわち、ＬＣＴ ＤＣＩフォーマット内に含まれない）フィールドであり、ＯＬＢＦまたはＣＬＢＦを指示するＰＤＳＣＨ送信方式フィールド７２０、およびポート７またはポート８のいずれかを指示するＰＤＳＣＨアンテナポートフィールド７２２である。上述されるように、ＰＤＳＣＨ送信方式インジケータは任意であり、ＰＤＳＣＨ方式が暗黙的に決定される場合、必ずしも必要ではない。列７０４は、割り当てられたキャリアの数に従った、例示的なＤＣＩフォーマット１Ａ’の例の各フィールドについてのビット幅をリスト化している。列７０６は、例示的なＤＣＩフォーマット１Ａ’の各フィールドについての注記（notes）をリスト化している。
【００９４】
[0097]  行７２４は、新規のＤＣＩフォーマット１Ａ’のために要求されたビットの総数を示す。図７で示されるように、提示されるＤＣＩフォーマット１Ａ’は、４０〜４８ビットを要求する。
【００９５】
[0095]  特定の態様によると、ＥＰＤＣＣＨ送信ポートおよび／またはモードは、ＤＣＩフォーマット１Ａ’を介して、ＰＤＳＣＨアンテナポートおよび／またはＰＤＳＣＨビームフォーミング（ＣＬＢＦ対ＯＬＢＦ）の明確な指示が存在しないように、ＰＤＳＣＨ送信ポートおよび／またはモードにリンクされ得る。これらの態様は、低減されたｅＮＢスケジューリングの柔軟性を犠牲にして、いくつかのＤＣＩオーバヘッドサービングを有する。しかしながら、それは、例えば、ノーマルサイクリックプリフィクスにおける、２４個のＤＭ−ＲＳ ＲＥに代わるＰＤＳＣＨについての１２個のＤＭ−ＲＳ ＲＥのように、低減されたオーバヘッドのために、ＤＣＩフォーマット１Ａ’のスケジューリングされたＰＤＳＣＨ送信をＤＭ−ＲＳ ＲＥの最大存在数のサブセットに制限することは、望ましくない。結果として、ＥＰＤＣＣＨポート（例えば、ノーマルサイクリックプリフィクスの場合における２４個のＤＭ−ＲＳ ＲＥをＤＭ−ＲＥの最大存在数と仮定する）からＰＤＳＣＨポートへのマッピングは、ＰＤＳＣＨのためのＤＭ−ＲＳ ＲＥの最大存在数のサブセット（例えば、ノーマルサイクリックプリフィクスの場合における１２個のＤＭ−ＲＳ ＲＥ）を考慮し得る。
【００９６】
[0096]  図８は、本開示の特定の態様に従った、例示的なＤＣＩフォーマット１Ａ’における、ＰＤＳＣＨ送信ポートおよび／またはモードと、ＥＰＤＣＣＨ送信ポートおよび／またはモードをリンクさせるマッピング８００を図示する。このマッピングは、ＥＰＤＣＣＨモードとＰＤＳＣＨモードとの間の１対１のマッピング、およびＯＬＢＦ ＰＤＳＣＨのための２つのポートと仮定する。列８０２は、ＥＰＤＣＣＨのためのモード（ローカライズされた、すなわちＬＶＲＢと、分散された、すなわちＤＶＲＢと）をリスト化している。列８０４は、ＤＣＩフォーマット１Ａ’を伝達するＥＰＤＣＣＨを送信するために使用される送信ポートをリスト化し、また列８０６は、許可されたＰＤＳＣＨを送信するために使用される送信ポートをリスト化している。列８０８は、例示的なマッピングに従って使用されるビームフォーミングモードをリスト化している。
【００９７】
[0097]  特定の態様によると、ＥＰＤＣＣＨモードとＰＤＳＣＨモードとの間の１対１のマッピングが存在しない可能性がある。例えば、分散されたＥＤＰＣＣＨ １Ａ’がＣＬＢＦ ＰＤＳＣＨまたはＯＬＢＦ ＰＤＳＣＨに関連付けられ得る一方、ローカライズされたＥＰＤＣＣＨ １Ａ’は、ＣＬＢＦ ＰＤＳＣＨ（および望ましくはＯＬＢＦ ＰＤＳＣＨも同様に）に関連付けられ得る。
【００９８】
[0098]  特定の態様によると、ＤＣＩフォーマット０’とＤＣＩフォーマット１Ａ’とは、サイズが一致する。ＤＣＩフォーマット１Ａ’におけるいくつかのビットの追加のために、ＬＣＴ ＤＣＩフォーマット１Ａと比較されるとき、追加の（ＬＣＴ ＤＣＩフォーマット０と比較して）ゼロパディング（zero-padding）は、ＤＣＩフォーマット０’が、そのサイズをＤＣＩフォーマット１Ａ’と一致させるために、必要であり得る。しかしながら、ゼロパディングの代わりに、ＤＣＩフォーマット０’での追加のビットは、少なくともいくつかのＵＥについて、他の目的のために使用され得る。例えば、ＤＣＩフォーマット０’を介するランク１のＰＵＳＣＨのためのＣＬＢＦを利用可能にするために、ランク１のプリコーディングインジケータビット（rank 1 precoding indicator bit）は、ＵＬ ＭＩＭＯ機能をもつＵＥ（UL MIMO capable UEs）に送信されるＤＣＩフォーマット０’に含まれ得る一方、ＵＬ ＭＩＭＯ機能をもたないＵＥ（UL MIMO non-capable UEs）（例えば、ＮＣＴ上で通信することができないＵＥ）に送信される対応するビットは、特定のゼロパディングを含み得る。
【００９９】
[0099]  ＬＣＴキャリア上の２つのＵＬ ＴＸアンテナポートを使用して送信するように構成されたＵＥが、６つのランク１のＰＭＩ値のうちの１つをレポートし得る一方、ＵＥは、ＬＣＴキャリア上の４つのＵＬ ＴＸアンテナポートを使用するように構成されたＵＥは、２４のランク１のＰＭＩ値うちの１つをレポートし得る。特定の態様によると、ＤＣＩフォーマット０’におけるＰＭＩサイズは、ＰＭＩ値の数がＤＣＩフォーマット１Ａ’における新しいビットの数（またはそれよりも少ない）に一般にアラインされるようにセットされる。ＤＣＩフォーマット０’におけるＰＭＩのための帯域幅は、ＵＬ送信（ＴＸ）アンテナポートの数とは無関係であり得る。例えば、ＤＣＩフォーマット１Ａ’が２ビットのＡＣＫリソースオフセット（ＡＲＯ）、１ビットのビームフォーミング（ＢＦ）インジケータ、および１ビットのＰＤＳＣＨアンテナポートインジケータを有する場合、ＬＣＴ ＤＣＩフォーマット１Ａと比較するときに、合計４つの新規のビットが追加され、最大で１６のＰＭＩ値がＤＣＩフォーマット０’のために選択され得る（６または２４ではない）。
【０１００】
[0100]  特定の態様によると、コンテンツおよび／またはＤＣＩフォーマット１Ａ’のサイズは、ＵＥ固有のサーチ空間（ＵＳＳ）においてよりも、共通のサーチ空間（ＣＳＳ）において異なり得る。特定の態様によると、ＵＳＳについて、ＤＣＩフォーマットが１Ａ’と呼ばれる一方、ＣＳＳについて、ＤＣＩフォーマットは、１Ａ’’と呼ばれる。
【０１０１】
[0101]  特定の態様によると、いくつかの情報フィールドは、ＵＳＳ（すなわちＤＣＩフォーマット１Ａ’）にのみ存在し得る。例えば、ＣＳＳにおけるＤＣＩの送信がＯＬＢＦを使用して送信されるべきＰＤＳＣＨを暗黙的に構成する場合、ビームフォーミングインジケータフィールドは、１Ａ’’（ＣＳＳにおいて送信される）内に存在しない可能性がある。
【０１０２】
[0102]  特定の態様によると、セル無線ネットワーク一次識別子（Ｃ−ＲＮＴＩ）ベースのＤＣＩフォーマットは、ＮＣＴキャリア上でＣＳＳにおいて許可され得るが、それらのフォーマットのＤＣＩコンテンツ／サイズは、ページング無線ネットワーク一時識別子（Ｐ−ＲＮＴＩ）、システム情報無線ネットワーク一時識別（ＳＩ−ＲＮＴＩ）、ランダムアクセス無線ネットワーク一時識別子（ＲＡ−ＲＮＴＩ）などのようなブロードキャストベースのＤＣＩフォーマットについて定義されたものにアラインされる。例えば、ＮＣＴキャリア上のＣＳＳにおいて送信されるＣ−ＲＮＴＩベースのＤＣＩフォーマット１は、ブロードキャストのために定義されたＤＣＩフォーマットのサイズおよびコンテンツにアラインされる。
【０１０３】
[0103]  特定の態様によると、ＤＶＲＢを使用して送信されるＥＰＤＣＣＨおよびＰＤＳＣＨは、ＮＣＴキャリア上のブロードキャストトラフィックについてサポートされ得る。ＤＶＲＢを使用するＰＤＳＣＨは、ＰＲＢベースのまたはＰＲＢペアベースのビームサイクリングで送信され得る。前者の場合、ＰＲＢベースの分散されたＰＤＳＣＨは、リソース粒度としてＰＲＢを用いた周波数分散ＰＤＳＣＨ割り当て（frequency-distributed PDSCH assignments）（すなわち、ＰＤＳＣＨがＰＲＢベースのビームサイクリングを使用して送信される）を有し得る。後者の場合、ＰＲＢペアベースの分散されたＰＤＳＣＨは、リソース粒度としてＰＲＢペアを用いた周波数分散ＰＤＳＣＨ割り当て（すなわち、ＰＤＳＣＨがＰＲＢペアベースのビームサイクリングを使用して送信される）を有し得る。
【０１０４】
[0104]  特定の態様によると、ＣＳＳからの制御を有するユニキャストＰＤＳＣＨがサポートされる。ＮＣＴキャリア上で送信される、ＣＳＳからの制御を有するユニキャストＰＤＳＣＨは、ＤＶＲＢを使用して送信され得る。ユニキャストＰＤＳＣＨは、ＰＲＢベースのまたはＰＲＢペアベースのビームサイクリングを用いて送信され得る。前者の場合、ＰＲＢベースの分散されたＰＤＳＣＨは、リソース粒度としてＰＲＢを用いた周波数分散ＰＤＳＣＨ割り当てを有し得る。後者の場合、ＰＲＢペアベースの分散されたＰＤＳＣＨは、リソース粒度としてＰＲＢペアを用いた周波数分散ＰＤＳＣＨ割り当てを有し得る。
【０１０５】
[0105]  特定の態様によると、いくつかの情報ビットの解釈は、ＤＣＩフォーマット１Ａ’によって指示されたＰＤＳＣＨ送信モード（ＯＬＢＦ対ＣＬＢＦ）によって決まり得る。例えば、ＣＬＢＦが使用される場合、１ビットは、ＰＤＳＣＨを送信する際に使用されるアンテナポートを指示し得る。しかしながら、ＯＬＢＦが使用される場合、いくつかのビットは、予備のビット（reserved bit）であり得るか、または「０」にセットされ得る。
【０１０６】
[0106]  特定の態様によると、特に、ＰＤＳＣＨモードへの、ＥＰＤＣＣＨモードのマッピングがあり得るとき、ＤＣＩコンテンツ／サイズは、分散されたＥＰＤＣＣＨおよびローカライズされたＥＰＤＣＣＨについて異なり得る。例えば、分散されたＥＰＤＣＣＨのＤＣＩフォーマット１Ａ’は、アンテナポートインジケータを有していない可能性があり、それは、ローカライズされたＥＰＤＣＣＨ １Ａ’の場合とは異なり得る。
【０１０７】
[0107]  特定の態様によると、ＤＣＩフォーマット０’は、２つの許可されたサイズを有し得る。ＤＣＩフォーマット０’は、分散されたＥＰＤＣＣＨで使用されるＤＣＩフォーマット１Ａ’のサイズに対応する第１のサイズと、ローカライズされたＥＰＤＣＣＨで使用されるＤＣＩフォーマット１Ａ’のサイズに対応する第２のサイズとを有し得る。
【０１０８】
[0108]  特定の態様によると、ＤＣＩサイズは、使用中のＥＰＤＣＣＨリソースのセットによって決まり得る。これは、各ＥＰＤＣＣＨモード（ローカライズされた、または分散された）がＵＥごとに１つの個別のＥＰＤＣＣＨリソースに関連付けられ得るため、サポート可能である。例えば、ＵＥは、ＬＶＲＢを使用するＥＰＤＣＣＨのために使用されるセットＡと、ＤＶＲＢを使用するＥＰＤＣＣＨのために使用されるセットＢとの、２つのＥＰＤＣＣＨリソースセットＡおよびＢを用いて構成され得る。セルは、ＬＶＲＢのためにサイジングされたＤＣＩフォーマット１Ａ’を使用してＬＶＲＢ ＰＤＳＣＨをスケジューリングするＥＰＤＣＣＨを送信し得、受信するＵＥは、リソースセットＡでＥＰＤＣＣＨを受信することに基づいて、ＬＶＲＢを用いて送信されるものとしてＤＣＩフォーマット１Ａ’を復号し得る。
【０１０９】
[0109]  特定の態様によると、異なるＤＭ−ＲＳ ＲＥは、ＯＬＢＦ対ＣＬＢＦで使用するために割り当てられ得る。例えば、ＮＣＴキャリア上で動作するセルは、セルがＯＬＢＦを使用して送信する場合に、ＲＥの１つのセット上で１２個のＤＭ−ＲＳを送信し、セルがＣＬＢＦを使用して送信する場合に、ＲＥの第２のセット上で（または、例えば、２４個のＤＭ−ＲＳ）１２個のＤＭ−ＲＳを送信し得る。
【０１１０】
[0110]  特定の態様によると、ネットワークは、１２または２４個のＤＭ−ＲＳ ＲＥがＤＣＩフォーマット１Ａ’のスケジューリングされたＰＤＳＣＨのために使用されるかどうかを動的にまたは半静的にＵＥに指示し得る。例えば、セルは、セルがＤＣＩフォーマット１Ａ’を使用してＰＤＳＣＨをスケジューリングするとき、セルがＲＥの特定のセット上で１２個のＤＭ−ＲＳを送信し得るという情報を用いて、セルのサービスされたＵＥを半静的に構成し得る（例えば、ＲＲＣシグナリングを介して）。
【０１１１】
[0111]  図９は、本開示の特定の態様に従った、ＵＥにダウンリンク制御情報を送るために、基地局（ＢＳ）によって実行され得る、例示的な動作９００を図示する。動作９００は、９０２において、第１のＤＣＩフォーマットに従って少なくとも１つのユーザ機器（ＵＥ）に物理ダウンリンク共有チャネル（ＰＤＳＣＨ）をスケジューリングするためにダウンリンク制御情報（ＤＣＩ）を生成することによって開始し得る。例えば、図１に示されるＢＳ １１０は、ＵＥ １２０に送信されるべきＰＤＳＣＨをスケジューリングするＤＣＩフォーマット１Ａ’を生成し得る。９０４において、ＢＳは、スケジューリングされたＰＤＳＣＨが基づいているビームフォーミングのタイプに１つまたは複数のパラメータの指示を提供する。例えば、ＢＳは、ＰＤＳＣＨがＰＲＢベースのＯＬＢＦを使用して送信されることを指示する、生成されたＤＣＩフォーマット１Ａ’においてビットをセットし得る。９０６において、ＢＳは、物理ダウンリンク制御チャネル（ＰＤＣＣＨ）内のＵＥにＤＣＩを送信し得る。例えば、ＢＳは、ＥＰＤＣＣＨ内のＵＥに許可されたＤＣＩフォーマット１Ａ’を送信し得る。
【０１１２】
[0112]  図１０は、本開示の特定の態様に従った、ユーザ機器（ＵＥ）によって実行され得る例示的な動作１０００を図示する。動作１０００は、動作９００でのＢＳからの送信を受信するＵＥによって実行され、動作９００に対して相補的であると考えられ得る。動作１０００は、１００２において、第１のダウンリンク制御情報（ＤＣＩ）フォーマットに従って、少なくとも１つのユーザ機器（ＵＥ）に物理ダウンリンク共有チャネル（ＰＤＳＣＨ）をスケジューリングするダウンリンク制御チャネルを受信することによって開始し得る。例えば、ＵＥ１２０は、ＢＳ １１０ａからＰＤＳＣＨをスケジューリングするＤＣＩフォーマット１Ａ’を伝達するＥＰＤＣＣＨを受信し得る。１００４において、ＵＥは、スケジューリングされたＰＤＳＣＨが基づいているビームフォーミングのタイプを、ダウンリンク制御チャネルによって提供されるインジケータから決定し得る。例えば、ＵＥは、ＤＣＩフォーマット１Ａ’内のビットが１にセットされることを検出し、およびＤＣＩフォーマット１Ａ’がＰＲＢベースのＯＬＢＦを使用して送信されるべきＰＤＳＣＨをスケジューリングすることを決定し得る。１００６において、ＵＥは、ビームフォーミングの決定されたタイプを使用してＰＤＳＣＨを処理（例えば、受信および復号）し得る。例えば、ＵＥは、ＤＣＩフォーマット１Ａ’によってスケジューリングされたＰＤＳＣＨを、ＰＲＢベースのＯＬＢＦを使用して受信および復号し得る。
【０１１３】
[0113]  当業者は、情報と信号とが、多様な異なる任意の技術および技法を使用して表され得ることを理解するだろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。
【０１１４】
[0114]  当業者はさらに、本明細書に開示された実施形態と関連して説明される様々な例示的な論理ブロック、モジュール、回路、アルゴリズムステップが電子ハードウェア、コンピュータソフトウェアまたは両方の組み合わせとして実装され得ることを理解するだろう。ハードウェアおよびソフトウェアのこの互換性を明確に例示するために、様々な例示的なコンポーネント、ブロック、モジュール、回路、およびステップが、一般にそれらの機能の観点から上記で説明されている。このような機能が、ハードウェアとして実装されるか、あるいはソフトウェアとして実装されるかは、特定のアプリケーションおよびシステム全体に課せられている設計制約に依存する。当業者であれば、説明された機能を特定のアプリケーションごとに様々な方法で実装し得るが、このような実装の決定は、本開示の範囲からの逸脱を引き起こすものと解釈されるべきではない。
【０１１５】
[0115]  本明細書の開示に関連して説明された様々な例示的な論理ブロック、モジュール、および回路は、本明細書で説明された機能を実行するように設計される汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせを用いて、実装または実行され得る。汎用プロセッサはマイクロプロセッサであり得るが、代替としてプロセッサは任意の従来のプロセッサ、コントローラ、マイクロプロセッサ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと結合された１つまたは複数のマイクロプロセッサ、または任意の他のそのような構成として、実装され得る。
【０１１６】
[0116]  本明細書の開示に関連して説明された方法またはアルゴリズムのステップは、ハードウェアで直接的に、プロセッサによって実行されるソフトウェアモジュールで、またはそれらの組み合わせで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、あるいは当該技術分野において周知の任意の他の形態の記憶媒体内に存在し得る。例示的な記憶媒体は、プロセッサが記憶媒体から情報を読み出し、記憶媒体に情報を書き込むことができるように、プロセッサに結合される。代替では、記憶媒体はプロセッサに統合され得る。プロセッサおよび記憶媒体はＡＳＩＣに存在し得る。ＡＳＩＣは、ユーザ端末内に存在し得る。代替では、プロセッサおよび記憶媒体は、ユーザ端末内に個別構成要素として存在し得る。
【０１１７】
[0117]  １つまたは複数の例示的な設計において、説明された機能は、ハードウェア、ソフトウェア／ファームウェア、またはそれらの様々な組み合わせで実装され得る。ソフトウェアにおいて実装される場合、機能は、１つまたは複数の命令またはコードとして、コンピュータ読取可能媒体に記憶され得る、もしくはそれによって送信され得る。コンピュータ読取可能媒体は、１つの場所から別の場所へのコンピュータプログラムの転送を容易にする任意の媒体を含む通信媒体とコンピュータ記憶媒体との両方を含む。記憶媒体は、汎用コンピュータまたは専用コンピュータによってアクセスされ得る任意の利用可能な媒体であり得る。制限されない例として、そのようなコンピュータ読取可能媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、汎用コンピュータまたは専用コンピュータ、あるいは、汎用プロセッサまたは専用プロセッサによってアクセスされることができ、命令またはデータ構造の形式で所望のプログラムコード手段を搬送または記憶するために使用され得る任意の他の媒体を備え得る。また、任意の接続は、厳密にはコンピュータ読取可能媒体と呼ばれ得る。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびＢｌｕ−ｒａｙ（登録商標）ディスクを含み、ここで、ディスク（disks）が通常磁気的にデータを再生する一方、ディスク（discs）はレーザーを用いて光学的にデータを再生する。上記の組み合わせもまた、コンピュータ読取可能媒体の範囲内に含まれるべきである。
【０１１８】
[00120]  本開示の上述記載は、当業者が本開示を実施または使用することを可能にするために提供される。本開示に対する様々な変更は、当業者には容易に明らかであり、本明細書で定義された包括的な原理は、本開示の精神または範囲から逸脱することなく他のバリエーションに適用され得る。従って、本開示は、本明細書で説明された例および設計に限定されることが意図されるものではなく、本明細書に開示される原理および新規の特徴と一致する最も広い範囲が付与されるべきものである。
【図１】
2016521069.tif 000003
【図２】
2016521069.tif 000004
【図３】
2016521069.tif 000005
【図４】
2016521069.tif 000006
【図５】
2016521069.tif 000007
【図６】
2016521069.tif 000008
【図７】
2016521069.tif 000009
【図８】
2016521069.tif 000010
【図９】
2016521069.tif 000011
【図１０】
2016521069.tif 000012
【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
基地局によるワイヤレス通信のための方法であって、
第１のダウンリンク制御情報（ＤＣＩ）フォーマットに従って、少なくとも１つのユーザ機器（ＵＥ）に物理ダウンリンク共有チャネル（ＰＤＳＣＨ）をスケジューリングするためにＤＣＩを生成することと、ここで、前記第１のＤＣＩフォーマットは、１つのＰＤＳＣＨコードワードをスケジューリングする、
前記スケジューリングされたＰＤＳＣＨが基づいているビームフォーミングのタイプについて１つまたは複数のパラメータの指示をＵＥに提供することと、ここで、前記指示は、前記ＰＤＳＣＨが開ループビームフォーミング（ＯＬＢＦ）に基づいているか、または閉ループビームフォーミング（ＣＬＢＦ）に基づいているかの指示を備える、  ダウンリンク制御チャネルにおいて前記ＵＥに前記ＤＣＩを送信することと
を備える、方法。
【請求項２】
前記ＰＤＳＣＨは、従来のキャリアタイプ（ＬＣＴ）とは異なる新しいキャリアタイプ（ＮＣＴ）上での送信のためにスケジューリングされ、前記ＵＥは、前記ＮＣＴ上で通信することができるＵＥタイプであり、一方、他のＵＥタイプは、前記ＮＣＴ上で通信することができない、請求項１に記載の方法。
【請求項３】
前記ダウンリンク制御チャネルは、強化された物理ダウンリンク制御チャネル（ＥＰＤＣＣＨ）を備える、請求項１に記載の方法。
【請求項４】
前記指示は、いくつのまたはどのアンテナポートが前記ビームフォーミングのために使用されるかの、少なくとも１つの指示を備える、請求項１に記載の方法。
【請求項５】
前記ＰＤＳＣＨは、開ループビームフォーミング（ＯＬＢＦ）に基づいており、
前記ＯＬＢＦのためのビームサイクリングリソース粒度は、前記ＰＤＳＣＨに割り当てられたリソースに、少なくとも部分的に、基づいている、
請求項１に記載の方法。
【請求項６】
前記ＰＤＳＣＨは、開ループビームフォーミング（ＯＬＢＦ）に基づいており、
前記ＯＬＢＦのためのビームサイクリングリソース粒度は、前記ＤＣＩが送信される制御チャネルのサーチ空間のタイプに、少なくとも部分的に、基づいている、
請求項１に記載の方法。
【請求項７】
前記ＰＤＳＣＨは、開ループビームフォーミング（ＯＬＢＦ）に基づいており、
前記ＯＬＢＦのためのビームサイクリングリソース粒度は、特定の状況下で、物理リソースブロック（ＰＲＢ）のペアより小さい、請求項１に記載の方法。
【請求項８】
少なくとも１つのビームフォーミングパラメータの指示は、準静的にまたは動的にシグナリングされる、請求項１に記載の方法。
【請求項９】
前記スケジューリングされたＰＤＳＣＨは、マルチユーザ多入力多出力（ＭＵ−ＭＩＭＯ）ＰＤＳＣＨを備える、請求項１に記載の方法。
【請求項１０】
前記指示は、前記ＤＣＩが送信される前記ダウンリンク制御チャネルの送信モードまたは送信ポートのうちの少なくとも１つを介して提供される、請求項１に記載の方法。
【請求項１１】
前記第１のＤＣＩフォーマットのサイズは、前記ダウンリンク制御チャネルが送信されるサーチ空間のタイプに、少なくとも部分的に、依存する、請求項１に記載の方法。
【請求項１２】
ユーザ機器（ＵＥ）によるワイヤレス通信のための方法であって、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、
前記ＰＤＳＣＨが基づいているビームフォーミングのタイプについて１つまたは複数のパラメータを決定することと、ここで、前記決定は、前記ＰＤＳＣＨが開ループビームフォーミング（ＯＬＢＦ）に基づいているか、または閉ループビームフォーミング（ＣＬＢＦ）に基づいているかの受信された指示に基づいている、
前記ＤＣＩおよび前記１つまたは複数のビームフォーミングパラメータに基づいて前記ＰＤＳＣＨを処理することと
を備える、方法。
【請求項１３】
前記ＰＤＳＣＨは、従来のキャリアタイプ（ＬＣＴ）とは異なる新しいキャリアタイプ（ＮＣＴ）上での送信のためにスケジューリングされ、前記ＵＥは、前記ＮＣＴ上で通信することができるＵＥタイプであり、一方、他のＵＥタイプは、前記ＮＣＴ上で通信することができない、請求項１２に記載の方法。
【請求項１４】
前記ダウンリンク制御チャネルは、強化された物理ダウンリンク制御チャネル（ＥＰＤＣＣＨ）を備える、請求項１２に記載の方法。
【請求項１５】
前記決定は、前記第１のＤＣＩフォーマット内の１つまたは複数のフィールドに基づいている、請求項１２に記載の方法。
【請求項１６】
前記決定は、いくつのまたはどのアンテナポートが前記ビームフォーミングのために使用されるかの、少なくとも１つの指示に基づいている、請求項１２に記載の方法。
【請求項１７】
前記ＰＤＳＣＨは、開ループビームフォーミング（ＯＬＢＦ）に基づいており、
前記ＯＬＢＦのためのビームサイクリングリソース粒度は、前記ＰＤＳＣＨに割り当てられたリソースに、少なくとも部分的に、基づいている
請求項１２に記載の方法。
【請求項１８】
前記ＯＬＢＦのための前記ビームサイクリングリソース粒度は、前記ＰＤＳＣＨに割り当てられたリソースのサイズ、前記ＰＤＳＣＨに割り当てられたリソースがローカライズされるかまたは分散されるか、あるいは前記ＰＤＳＣＨがブロードキャストされるかまたはユニキャストされるか、のうちの少なくとも１つに基づいている、請求項１７に記載の方法。
【請求項１９】
物理リソースブロック（ＰＲＢ）またはそれより小さいもののリソース粒度は、前記ＰＤＳＣＨに割り当てられたリソースの前記サイズが、第１のサイズ以下である場合に使用され、
少なくとも１つの物理リソースブロックグループ（ＰＲＧ）のリソース粒度は、前記ＰＤＳＣＨに割り当てられたリソースの前記サイズが、前記第１のサイズより大きい場合に使用される、
請求項１８に記載の方法。
【請求項２０】
前記ＰＤＳＣＨは、開ループビームフォーミング（ＯＬＢＦ）に基づいており、
前記ＯＬＢＦのためのビームサイクリングリソース粒度は、前記ＤＣＩが送信される制御チャネルのサーチ空間のタイプに、少なくとも部分的に、基づいている
請求項１２に記載の方法。
【請求項２１】
前記ＰＤＳＣＨは、開ループビームフォーミング（ＯＬＢＦ）に基づいており、
前記ＯＬＢＦのためのビームサイクリングリソース粒度は、特定の状況下で、物理リソースブロック（ＰＲＢ）のペアより小さい、請求項１２に記載の方法。
【請求項２２】
前記決定は、準静的にまたは動的にシグナリングされる少なくとも１つのビームフォーミングパラメータの指示に基づいている、請求項１２に記載の方法。
【請求項２３】
前記スケジューリングされたＰＤＳＣＨは、マルチユーザ多入力多出力（ＭＵ−ＭＩＭＯ）ＰＤＳＣＨを備える、請求項１２に記載の方法。
【請求項２４】
前記決定は、前記ＤＣＩが送信される前記ダウンリンク制御チャネルの送信モードまたは送信ポートのうちの少なくとも１つに基づいている、請求項１２に記載の方法。
【請求項２５】
前記決定は、ＰＤＳＣＨポートへの前記ダウンリンク制御チャネルポートのマッピングに基づいている、請求項２４に記載の方法。
【請求項２６】
前記第１のＤＣＩフォーマットのサイズは、前記ダウンリンク制御チャネルが送信されるサーチ空間のタイプに、少なくとも部分的に、依存する、請求項１２に記載の方法。
【請求項２７】
ユーザ機器（ＵＥ）によるワイヤレス通信のための装置であって、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、
前記ＰＤＳＣＨが基づいているビームフォーミングのタイプについて１つまたは複数のパラメータを決定することと、ここで、前記決定は、前記ＰＤＳＣＨが開ループビームフォーミング（ＯＬＢＦ）に基づいているか、または閉ループビームフォーミング（ＣＬＢＦ）に基づいているかの受信された指示に基づいている、    前記ＤＣＩおよび前記１つまたは複数のビームフォーミングパラメータに基づいて前記ＰＤＳＣＨを処理することと
を行うように構成される、少なくとも１つのプロセッサと、
前記少なくとも１つのプロセッサに結合されたメモリと
を備える、装置。
【請求項２８】
コンピュータ読取可能媒体を備える、ユーザ機器（ＵＥ）によるワイヤレス通信のためのプログラム製品であって、前記コンピュータ読取可能媒体は、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信し、
前記ＰＤＳＣＨが基づいているビームフォーミングのタイプについて１つまたは複数のパラメータを決定し、ここで、前記決定は、前記ＰＤＳＣＨが開ループビームフォーミング（ＯＬＢＦ）に基づいているか、または閉ループビームフォーミング（ＣＬＢＦ）に基づいているかの受信された指示に基づいている、  前記ＤＣＩおよび前記１つまたは複数のビームフォーミングパラメータに基づいて前記ＰＤＳＣＨを処理する
ための記憶した命令を有する、プログラム製品。
【手続補正２】
【補正対象書類名】明細書
【補正対象項目名】０１１８
【補正方法】変更
【補正の内容】
【０１１８】
[00120]  本開示の上述記載は、当業者が本開示を実施または使用することを可能にするために提供される。本開示に対する様々な変更は、当業者には容易に明らかであり、本明細書で定義された包括的な原理は、本開示の精神または範囲から逸脱することなく他のバリエーションに適用され得る。従って、本開示は、本明細書で説明された例および設計に限定されることが意図されるものではなく、本明細書に開示される原理および新規の特徴と一致する最も広い範囲が付与されるべきものである。
以下に、本願出願の当初の特許請求の範囲に記載された発明を付記する。
［Ｃ１］
基地局によるワイヤレス通信のための方法であって、
第１のダウンリンク制御情報（ＤＣＩ）フォーマットに従って、少なくとも１つのユーザ機器（ＵＥ）に物理ダウンリンク共有チャネル（ＰＤＳＣＨ）をスケジューリングするためにＤＣＩを生成することと、ここで、前記第１のＤＣＩフォーマットは、１つのＰＤＳＣＨコードワードをスケジューリングする、
前記スケジューリングされたＰＤＳＣＨが基づいているビームフォーミングのタイプについて１つまたは複数のパラメータの指示を提供することと、
ダウンリンク制御チャネルにおいて前記ＵＥに前記ＤＣＩを送信することと
を備える、方法。
［Ｃ２］
前記ＰＤＳＣＨは、従来のキャリアタイプ（ＬＣＴ）とは異なる新しいキャリアタイプ（ＮＣＴ）上での送信のためにスケジューリングされ、前記ＵＥは、前記ＮＣＴ上で通信することができるＵＥタイプであり、一方、他のＵＥタイプは、前記ＮＣＴ上で通信することができない、Ｃ１に記載の方法。
［Ｃ３］
前記ダウンリンク制御チャネルは、強化された物理ダウンリンク制御チャネル（ＥＰＤＣＣＨ）を備える、Ｃ１に記載の方法。
［Ｃ４］
前記指示は、前記ＰＤＳＣＨが開ループビームフォーミング（ＯＬＢＦ）に基づいているか、または閉ループビームフォーミング（ＣＬＢＦ）に基づいているかの指示を備える、Ｃ１に記載の方法。
［Ｃ５］
前記指示は、いくつのまたはどのアンテナポートが前記ビームフォーミングのために使用されるかの、少なくとも１つの指示を備える、Ｃ１に記載の方法。
［Ｃ６］
前記ＰＤＳＣＨは、開ループビームフォーミング（ＯＬＢＦ）に基づいており、
前記ＯＬＢＦのためのビームサイクリングのリソース粒度は、前記ＰＤＳＣＨに割り当てられたリソースに、少なくとも部分的に、基づいている、
Ｃ１に記載の方法。
［Ｃ７］
前記ＰＤＳＣＨは、開ループビームフォーミング（ＯＬＢＦ）に基づいており、
前記ＯＬＢＦのためのビームサイクリングのリソース粒度は、前記ＤＣＩが送信される制御チャネルのサーチ空間のタイプに、少なくとも部分的に、基づいている、
Ｃ１に記載の方法。
［Ｃ８］
前記ＰＤＳＣＨは、開ループビームフォーミング（ＯＬＢＦ）に基づいており、
前記ＯＬＢＦのためのビームサイクリングのリソース粒度は、特定の状況下で、物理リソースブロック（ＰＲＢ）のペアより小さい、Ｃ１に記載の方法。
［Ｃ９］
少なくとも１つのビームフォーミングパラメータの指示は、準静的にまたは動的にシグナリングされる、Ｃ１に記載の方法。
［Ｃ１０］
前記スケジューリングされたＰＤＳＣＨは、マルチユーザ多入力多出力（ＭＵ−ＭＩＭＯ）ＰＤＳＣＨを備える、Ｃ１に記載の方法。
［Ｃ１１］
前記指示は、前記ＤＣＩが送信される前記ダウンリンク制御チャネルの送信モードまたは送信ポートのうちの少なくとも１つを介して提供される、Ｃ１に記載の方法。
［Ｃ１２］
前記第１のＤＣＩフォーマットのサイズは、前記ダウンリンク制御チャネルが送信されるサーチ空間のタイプに、少なくとも部分的に、依存する、Ｃ１に記載の方法。
［Ｃ１３］
ユーザ機器（ＵＥ）によるワイヤレス通信のための方法であって、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、
前記ＰＤＳＣＨが基づいているビームフォーミングのタイプについて１つまたは複数のパラメータを決定することと、
前記ＤＣＩおよび前記１つまたは複数のビームフォーミングパラメータに基づいて前記ＰＤＳＣＨを処理することと
を備える、方法。
［Ｃ１４］
前記ＰＤＳＣＨは、従来のキャリアタイプ（ＬＣＴ）とは異なる新しいキャリアタイプ（ＮＣＴ）上での送信のためにスケジューリングされ、前記ＵＥは、前記ＮＣＴ上で通信することができるＵＥタイプであり、一方、他のＵＥタイプは、前記ＮＣＴ上で通信することができない、Ｃ１３に記載の方法。
［Ｃ１５］
前記ダウンリンク制御チャネルは、強化された物理ダウンリンク制御チャネル（ＥＰＤＣＣＨ）を備える、Ｃ１３に記載の方法。
［Ｃ１６］
前記決定は、前記第１のＤＣＩフォーマット内の１つまたは複数のフィールドに基づいている、Ｃ１３に記載の方法。
［Ｃ１７］
前記決定は、前記ＰＤＳＣＨが開ループビームフォーミング（ＯＬＢＦ）に基づいているか、または閉ループビームフォーミング（ＣＬＢＦ）が使用されるかの指示に基づいている、Ｃ１３に記載の方法。
［Ｃ１８］
前記決定は、いくつのまたはどのアンテナポートが前記ビームフォーミングのために使用されるかの、少なくとも１つの指示に基づいている、Ｃ１３に記載の方法。
［Ｃ１９］
前記ＰＤＳＣＨは、開ループビームフォーミング（ＯＬＢＦ）に基づいており、
前記ＯＬＢＦのためのビームサイクリングのリソース粒度は、前記ＰＤＳＣＨに割り当てられたリソースに、少なくとも部分的に、基づいている
Ｃ１３に記載の方法。
［Ｃ２０］
前記ＯＬＢＦのための前記ビームサイクリングのリソース粒度は、前記ＰＤＳＣＨに割り当てられたリソースのサイズ、前記ＰＤＳＣＨに割り当てられたリソースがローカライズされるかまたは分散されるか、あるいは前記ＰＤＳＣＨがブロードキャストされるかまたはユニキャストされるか、のうちの少なくとも１つに基づいている、Ｃ１９に記載の方法。
［Ｃ２１］
物理リソースブロック（ＰＲＢ）またはそれより小さいもののリソース粒度は、前記ＰＤＳＣＨに割り当てられたリソースの前記サイズが、第１のサイズ以下である場合に使用され、
少なくとも１つの物理リソースブロックグループ（ＰＲＧ）のリソース粒度は、前記ＰＤＳＣＨに割り当てられたリソースの前記サイズが、前記第１のサイズより大きい場合に使用される、
Ｃ２０に記載の方法。
［Ｃ２２］
前記ＰＤＳＣＨは、開ループビームフォーミング（ＯＬＢＦ）に基づいており、
前記ＯＬＢＦのためのビームサイクリングのリソース粒度は、前記ＤＣＩが送信される制御チャネルのサーチ空間のタイプに、少なくとも部分的に、基づいている
Ｃ１３に記載の方法。
［Ｃ２３］
前記ＰＤＳＣＨは、開ループビームフォーミング（ＯＬＢＦ）に基づいており、
前記ＯＬＢＦのためのビームサイクリングのリソース粒度は、特定の状況下で、物理リソースブロック（ＰＲＢ）のペアより小さい、Ｃ１３に記載の方法。
［Ｃ２４］
前記決定は、準静的にまたは動的にシグナリングされる少なくとも１つのビームフォーミングパラメータの指示に基づいている、Ｃ１３に記載の方法。
［Ｃ２５］
前記スケジューリングされたＰＤＳＣＨは、マルチユーザ多入力多出力（ＭＵ−ＭＩＭＯ）ＰＤＳＣＨを備える、Ｃ１３に記載の方法。
［Ｃ２６］
前記決定は、前記ＤＣＩが送信される前記ダウンリンク制御チャネルの送信モードまたは送信ポートのうちの少なくとも１つに基づいている、Ｃ１３に記載の方法。
［Ｃ２７］
前記決定は、ＰＤＳＣＨポートへの前記ダウンリンク制御チャネルポートのマッピングに基づいている、Ｃ２６に記載の方法。
［Ｃ２８］
前記第１のＤＣＩフォーマットのサイズは、前記ダウンリンク制御チャネルが送信されるサーチ空間のタイプに、少なくとも部分的に、依存する、Ｃ１３に記載の方法。
［Ｃ２９］
ユーザ機器（ＵＥ）によるワイヤレス通信のための装置であって、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、
前記ＰＤＳＣＨが基づいているビームフォーミングのタイプについて１つまたは複数のパラメータを決定することと、
前記ＤＣＩおよび前記１つまたは複数のビームフォーミングパラメータに基づいて前記ＰＤＳＣＨを処理することと
を行うように構成される、少なくとも１つのプロセッサと、
前記少なくとも１つのプロセッサに結合されたメモリと
を備える、装置。
［Ｃ３０］
コンピュータ読取可能媒体を備える、ユーザ機器（ＵＥ）によるワイヤレス通信のためのプログラム製品であって、前記コンピュータ読取可能媒体は、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信し、
前記ＰＤＳＣＨが基づいているビームフォーミングのタイプについて１つまたは複数のパラメータを決定し、
前記ＤＣＩおよび前記１つまたは複数のビームフォーミングパラメータに基づいて前記ＰＤＳＣＨを処理する
ための記憶した命令を有する、プログラム製品。
【国際調査報告】
2016521069.tif 000013
2016521069.tif 000014
2016521069.tif 000015